(57)【要約】  ワイヤレス通信のための方法、システム、およびデバイスについて説明する。基地局は、短縮送信時間間隔（ｓＴＴＩ）の特性に依存するか、それに基づいて変化し得るアグリゲーションレベルまたは制御チャネル要素（ＣＣＥ）構造を使用してｓＴＴＩの制御領域中でユーザ機器（ＵＥ）にダウンリンク制御情報（ＤＣＩ）を送信し得る。たとえば、ｓＴＴＩインデックスがｓＴＴＩ内でＤＣＩのために利用可能なリソース要素の数に対応し得るので、ＣＣＥ構造またはアグリゲーションは、基準信号のタイプおよび／またはｓＴＴＩインデックスに基づいて変化し得る。ｓＴＴＩの制御領域は、セル固有基準信号（ＣＲＳ）、復調基準信号（ＤＭＲＳ）、またはチャネル状態情報基準信号（ＣＳＩ−ＲＳ）の送信を含み得る。制御領域内でＤＣＩのために利用可能なリソース要素の数は、そのような基準信号が存在するのかどうか、あるいはＣＲＳベースの復調が採用されるのかまたはＤＭＲＳベースの復調が採用されるのかに依存し得る。
2020518161.tif 000002
【特許請求の範囲】
【請求項１】
第１の送信時間間隔（ＴＴＩ）持続時間と前記第１のＴＴＩ持続時間よりも大きい第２のＴＴＩ持続時間とをサポートするシステムにおけるワイヤレス通信の方法であって、
前記第１の持続時間のＴＴＩの制御領域を識別することと、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定することと、
前記決定されたＣＣＥ構造または前記アグリゲーションレベルに従ってダウンリンク制御情報（ＤＣＩ）のための前記第１の持続時間の前記ＴＴＩの前記制御領域を監視することと
を備える、方法。
【請求項２】
前記ＣＣＥ構造が、固定数のリソース要素グループ（ＲＥＧ）を備え、前記アグリゲーションレベルが、前記第１の持続時間の前記ＴＴＩの前記インデックスに少なくとも部分的に基づく、請求項１に記載の方法。
【請求項３】
各ＲＥＧ中のリソース要素の数が、構成された基準信号復調方式とは無関係である、請求項２に記載の方法。
【請求項４】
ＤＣＩのために利用可能な各ＲＥＧ中のリソース要素の数が、構成された基準信号復調方式に少なくとも部分的に基づく、請求項２に記載の方法。
【請求項５】
前記ＲＥＧのうちの１つまたは複数が、セル固有基準信号（ＣＲＳ）、復調基準信号（ＤＭＲＳ）、またはチャネル状態情報基準信号（ＣＳＩ−ＲＳ）、あるいはそれらの任意の組合せを含んでいるリソース要素を備える、請求項２に記載の方法。
【請求項６】
前記ＲＥＧのうちの１つまたは複数が、セル固有基準信号（ＣＲＳ）、復調基準信号（ＤＭＲＳ）、またはチャネル状態情報基準信号（ＣＳＩ−ＲＳ）、あるいはそれらの任意の組合せを含んでいるリソース要素を含まない、請求項２に記載の方法。
【請求項７】
前記制御領域のための前記制御チャネル要素（ＣＣＥ）構造または前記アグリゲーションレベルのうちの少なくとも１つを決定することが、アグリゲーションレベルごとのブラインド復号の数を決定することをさらに備える、請求項１に記載の方法。
【請求項８】
前記制御領域中でＤＣＩのために利用可能なリソース要素の数がしきい値を上回るかどうかを識別することと、
前記識別に少なくとも部分的に基づいて前記制御領域のための前記ＣＣＥ構造または前記アグリゲーションレベルを決定することと
をさらに備える、請求項１に記載の方法。
【請求項９】
前記制御領域中のリソース要素が復調基準信号（ＤＭＲＳ）を含んでいるのかどうか、または前記制御領域がＤＭＲＳベースの復調のために構成されているのかどうかを識別することと、
前記識別に少なくとも部分的に基づいて前記制御領域のための前記ＣＣＥ構造または前記アグリゲーションレベルを決定することと
をさらに備える、請求項１に記載の方法。
【請求項１０】
前記制御領域への前記ＤＣＩのマッピングが分散されるのかまたは局所化されるのかを識別することと、
前記識別に少なくとも部分的に基づいて前記制御領域のための前記ＣＣＥ構造または前記アグリゲーションレベルを決定することと
をさらに備える、請求項１に記載の方法。
【請求項１１】
前記ＤＣＩのフォーマットを識別することと、
前記識別に少なくとも部分的に基づいて前記制御領域のための前記ＣＣＥ構造または前記アグリゲーションレベルを決定することと
をさらに備える、請求項１に記載の方法。
【請求項１２】
前記制御領域を備えるシンボルの数を示すシグナリングを受信すること
をさらに備える、請求項１に記載の方法。
【請求項１３】
前記制御領域を備えるシンボルの前記数に少なくとも部分的に基づいて前記アグリゲーションレベルを決定すること
をさらに備える、請求項１２に記載の方法。
【請求項１４】
前記制御領域を備えるシンボルの前記数に少なくとも部分的に基づくレートマッチングを使用して前記第１の持続時間の前記ＴＴＩ中にデータを受信すること
をさらに備える、請求項１２に記載の方法。
【請求項１５】
前記制御領域を備えるシンボルの前記数がセル固有である、請求項１２に記載の方法。
【請求項１６】
前記制御領域を備えるシンボルの前記数がユーザ機器（ＵＥ）固有である、請求項１２に記載の方法。
【請求項１７】
前記シグナリングが、セル内で通信するＵＥのセットのための制御チャネル構成を示す、請求項１６に記載の方法。
【請求項１８】
前記シグナリングは、前記セットの各ＵＥが、１シンボル制御領域で構成されること、または前記セットの各ＵＥが、２シンボル制御領域で構成されること、または、前記ＵＥの第１のサブセットが１シンボル制御領域で構成され、前記ＵＥの第２のサブセットが２シンボル制御領域で構成されることを示す、請求項１７に記載の方法。
【請求項１９】
セル内で通信するＵＥのセットのための制御チャネル構成を示す追加のシグナリングを受信すること、ここにおいて、前記追加のシグナリングは、前記セットの各ＵＥが、１シンボル制御領域で構成されること、または前記セットの各ＵＥが、２シンボル制御領域で構成されること、または、前記ＵＥの第１のサブセットが１シンボル制御領域で構成され、前記ＵＥの第２のサブセットが２シンボル制御領域で構成されることの指示を備える、
をさらに備える、請求項１６に記載の方法。
【請求項２０】
ＤＣＩを備える前記制御領域のリソース要素のセットの一部分を示す追加のシグナリングを受信すること
をさらに備える、請求項１６に記載の方法。
【請求項２１】
前記制御領域を備えるシンボルの前記数が２つである、請求項１２に記載の方法。
【請求項２２】
前記制御領域中の各ＣＣＥが、前記制御領域中の単一のシンボルにわたる、請求項２１に記載の方法。
【請求項２３】
前記制御領域中の前記アグリゲーションレベルに関連する各復号候補が、前記制御領域中の単一のシンボルにわたる、請求項２１に記載の方法。
【請求項２４】
各ＲＥＧに、周波数領域中での前記ＲＥＧのロケーションと、それに続く時間領域中での前記ＲＥＧの前記ロケーションとを示すインデックスが割り当てられる、請求項２に記載の方法。
【請求項２５】
第１の送信時間間隔（ＴＴＩ）持続時間と前記第１のＴＴＩ持続時間よりも大きい第２のＴＴＩ持続時間とをサポートするシステムにおけるワイヤレス通信の方法であって、
前記第１の持続時間のＴＴＩの制御領域を識別することと、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定することと、
前記決定されたＣＣＥ構造または前記アグリゲーションレベルに従って前記第１の持続時間の前記ＴＴＩの前記制御領域中でダウンリンク制御情報（ＤＣＩ）を送信することと
を備える、方法。
【請求項２６】
前記ＣＣＥ構造が、固定数のリソース要素グループ（ＲＥＧ）を備え、前記アグリゲーションレベルが、前記第１の持続時間の前記ＴＴＩの前記インデックスに少なくとも部分的に基づく、請求項２５に記載の方法。
【請求項２７】
各ＲＥＧ中のリソース要素の数が、構成された基準信号復調方式とは無関係である、請求項２６に記載の方法。
【請求項２８】
ＤＣＩのために利用可能な各ＲＥＧ中のリソース要素の数が、構成された基準信号復調方式に少なくとも部分的に基づく、請求項２６に記載の方法。
【請求項２９】
前記ＲＥＧのうちの１つまたは複数が、セル固有基準信号（ＣＲＳ）、復調基準信号（ＤＭＲＳ）、またはチャネル状態情報基準信号（ＣＳＩ−ＲＳ）、あるいはそれらの任意の組合せを含んでいるリソース要素を備える、請求項２６に記載の方法。
【請求項３０】
前記ＲＥＧのうちの１つまたは複数が、セル固有基準信号（ＣＲＳ）、復調基準信号（ＤＭＲＳ）、またはチャネル状態情報基準信号（ＣＳＩ−ＲＳ）、あるいはそれらの任意の組合せを含んでいるリソース要素を含まない、請求項２６に記載の方法。
【請求項３１】
前記制御領域中でＤＣＩのために利用可能なリソース要素の数がしきい値を上回るのかどうかを識別することと、
前記識別に少なくとも部分的に基づいて前記制御領域のための前記ＣＣＥ構造または前記アグリゲーションレベルを決定することと
をさらに備える、請求項２５に記載の方法。
【請求項３２】
前記制御領域中のリソース要素が復調基準信号（ＤＭＲＳ）を含んでいるのかどうか、または前記制御領域がＤＭＲＳベースの復調のために構成されているのかどうかを識別することと、
前記識別に少なくとも部分的に基づいて前記制御領域のための前記ＣＣＥ構造または前記アグリゲーションレベルを決定することと
をさらに備える、請求項２５に記載の方法。
【請求項３３】
前記制御領域への前記ＤＣＩのマッピングが分散されるのかまたは局所化されるのかを識別することと、
前記識別に少なくとも部分的に基づいて前記制御領域のための前記ＣＣＥ構造または前記アグリゲーションレベルを決定することと
をさらに備える、請求項２５に記載の方法。
【請求項３４】
前記ＤＣＩのフォーマットを識別することと、
前記識別に少なくとも部分的に基づいて前記制御領域のための前記ＣＣＥ構造または前記アグリゲーションレベルを決定することと
をさらに備える、請求項２５に記載の方法。
【請求項３５】
前記制御領域を備えるシンボルの数を示すシグナリングを送信すること
をさらに備える、請求項２５に記載の方法。
【請求項３６】
前記制御領域を備えるシンボルの前記数に少なくとも部分的に基づいて前記アグリゲーションレベルを決定すること
をさらに備える、請求項３５に記載の方法。
【請求項３７】
前記制御領域を備えるシンボルの前記数に少なくとも部分的に基づいて前記ＤＣＩの前記送信のために使用されるリソース要素の周りでデータビットをレートマッチングすることと、
前記第１の持続時間の前記ＴＴＩ中に前記レートマッチングされたデータビットを送信することと
をさらに備える、請求項３５に記載の方法。
【請求項３８】
前記制御領域を備えるシンボルの前記数がセル固有である、請求項３５に記載の方法。
【請求項３９】
前記制御領域を備えるシンボルの前記数がユーザ機器（ＵＥ）固有である、請求項３５に記載の方法。
【請求項４０】
前記シグナリングが、セル内で通信するＵＥのセットのための制御チャネル構成を示す、請求項３９に記載の方法。
【請求項４１】
前記シグナリングは、前記セットの各ＵＥが、１シンボル制御領域で構成されること、または前記セットの各ＵＥが、２シンボル制御領域で構成されること、または、前記ＵＥの第１のサブセットが１シンボル制御領域で構成され、前記ＵＥの第２のサブセットが２シンボル制御領域で構成されることを示す、請求項４０に記載の方法。
【請求項４２】
セル内で通信するＵＥのセットのための制御チャネル構成を示す追加のシグナリングを送信すること、ここにおいて、前記追加のシグナリングは、前記セットの各ＵＥが、１シンボル制御領域で構成されること、または前記セットの各ＵＥが、２シンボル制御領域で構成されること、または、前記ＵＥの第１のサブセットが１シンボル制御領域で構成され、前記ＵＥの第２のサブセットが２シンボル制御領域で構成されることの指示を備える、
をさらに備える、請求項３９に記載の方法。
【請求項４３】
ＤＣＩを備える前記制御領域のリソース要素のセットの一部分を示す追加のシグナリングを送信すること
をさらに備える、請求項３９に記載の方法。
【請求項４４】
前記制御領域を備えるシンボルの前記数が２つである、請求項３５に記載の方法。
【請求項４５】
前記制御領域中の各ＣＣＥが、前記制御領域中の単一のシンボルにわたる、請求項４４に記載の方法。
【請求項４６】
前記制御領域中の前記アグリゲーションレベルに関連する各復号候補が、前記制御領域中の単一のシンボルにわたる、請求項４４に記載の方法。
【請求項４７】
各ＲＥＧに、周波数領域中での前記ＲＥＧのロケーションと、それに続く時間領域中での前記ＲＥＧの前記ロケーションとを示すインデックスが割り当てられる、請求項２６に記載の方法。
【請求項４８】
第１の送信時間間隔（ＴＴＩ）持続時間と前記第１のＴＴＩ持続時間よりも大きい第２のＴＴＩ持続時間とをサポートするシステムにおけるワイヤレス通信のための装置であって、
前記第１の持続時間のＴＴＩの制御領域を識別するための手段と、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定するための手段と、
前記決定されたＣＣＥ構造または前記アグリゲーションレベルに従ってダウンリンク制御情報（ＤＣＩ）のための前記第１の持続時間の前記ＴＴＩの前記制御領域を監視するための手段と
を備える、装置。
【請求項４９】
第１の送信時間間隔（ＴＴＩ）持続時間と前記第１のＴＴＩ持続時間よりも大きい第２のＴＴＩ持続時間とをサポートするシステムにおけるワイヤレス通信のための装置であって、
前記第１の持続時間のＴＴＩの制御領域を識別するための手段と、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定するための手段と、
前記決定されたＣＣＥ構造または前記アグリゲーションレベルに従って前記第１の持続時間の前記ＴＴＩの前記制御領域中でダウンリンク制御情報（ＤＣＩ）を送信するための手段と
を備える、装置。
【請求項５０】
第１の送信時間間隔（ＴＴＩ）持続時間と前記第１のＴＴＩ持続時間よりも大きい第２のＴＴＩ持続時間とをサポートするシステムにおけるワイヤレス通信のための装置であって、
プロセッサと、
前記プロセッサと電子通信しているメモリと、
前記メモリに記憶され、前記プロセッサによって実行されたとき、前記装置に、
前記第１の持続時間のＴＴＩの制御領域を識別することと、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定することと、
前記決定されたＣＣＥ構造または前記アグリゲーションレベルに従ってダウンリンク制御情報（ＤＣＩ）のための前記第１の持続時間の前記ＴＴＩの前記制御領域を監視することと
を行わせるように動作可能な命令と
を備える、装置。
【請求項５１】
第１の送信時間間隔（ＴＴＩ）持続時間と前記第１のＴＴＩ持続時間よりも大きい第２のＴＴＩ持続時間とをサポートするシステムにおけるワイヤレス通信のための装置であって、
プロセッサと、
前記プロセッサと電子通信しているメモリと、
前記メモリに記憶され、前記プロセッサによって実行されたとき、前記装置に、
前記第１の持続時間のＴＴＩの制御領域を識別することと、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定することと、
前記決定されたＣＣＥ構造または前記アグリゲーションレベルに従って前記第１の持続時間の前記ＴＴＩの前記制御領域中でダウンリンク制御情報（ＤＣＩ）を送信することと
を行わせるように動作可能な命令と
を備える、装置。
【請求項５２】
第１の送信時間間隔（ＴＴＩ）持続時間と前記第１のＴＴＩ持続時間よりも大きい第２のＴＴＩ持続時間とをサポートするシステムにおけるワイヤレス通信のためのコードを記憶する非一時的コンピュータ可読媒体であって、前記コードが、
前記第１の持続時間のＴＴＩの制御領域を識別することと、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定することと、
前記決定されたＣＣＥ構造または前記アグリゲーションレベルに従ってダウンリンク制御情報（ＤＣＩ）のための前記第１の持続時間の前記ＴＴＩの前記制御領域を監視することと
を行うためにプロセッサによって実行可能な命令を備える、非一時的コンピュータ可読媒体。
【請求項５３】
第１の送信時間間隔（ＴＴＩ）持続時間と前記第１のＴＴＩ持続時間よりも大きい第２のＴＴＩ持続時間とをサポートするシステムにおけるワイヤレス通信のためのコードを記憶する非一時的コンピュータ可読媒体であって、前記コードが、
前記第１の持続時間のＴＴＩの制御領域を識別することと、
前記第１の持続時間の前記ＴＴＩのインデックスまたは基準信号のタイプのうちの少なくとも１つに少なくとも部分的に基づいて前記制御領域のための制御チャネル要素（ＣＣＥ）構造またはアグリゲーションレベルのうちの少なくとも１つを決定することと、
前記決定されたＣＣＥ構造または前記アグリゲーションレベルに従って前記第１の持続時間の前記ＴＴＩの前記制御領域中でダウンリンク制御情報（ＤＣＩ）を送信することと
を行うためにプロセッサによって実行可能な命令を備える、非一時的コンピュータ可読媒体。
【発明の詳細な説明】
【技術分野】
【０００１】
相互参照
[0001]本特許出願は、各々が本出願の譲受人に譲渡された、２０１８年４月１７日に出願された、「Ｐｈｙｓｉｃａｌ  Ｄｏｗｎｌｉｎｋ  Ｃｏｎｔｒｏｌ  Ｃｈａｎｎｅｌ  Ｓｔｒｕｃｔｕｒｅ  Ｉｎ  Ｌｏｗ  Ｌａｔｅｎｃｙ  Ｓｙｓｔｅｍｓ」と題する、Ｈｏｓｓｅｉｎｉらによる米国特許出願第１５／９５５，５２０号、および２０１７年４月２１日に出願された、「Ｐｈｙｓｉｃａｌ  Ｄｏｗｎｌｉｎｋ  Ｃｏｎｔｒｏｌ  Ｃｈａｎｎｅｌ  Ｓｔｒｕｃｔｕｒｅ  Ｉｎ  Ｌｏｗ  Ｌａｔｅｎｃｙ  Ｓｙｓｔｅｍｓ」と題する、Ｈｏｓｓｅｉｎｉらによる米国仮特許出願第６２／４８８，６９４号の優先権を主張する。
【背景技術】
【０００２】
[0002]以下は、一般に、ワイヤレス通信に関し、より詳細には、低レイテンシシステムにおける物理ダウンリンク制御チャネル（ＰＤＣＣＨ）構造に関する。
【０００３】
[0003]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システムまたは新無線（ＮＲ）システム）がある。ワイヤレス多元接続通信システムは、別名ユーザ機器（ＵＥ）として知られていることがある、複数の通信デバイスのための通信を各々が同時にサポートする、いくつかの基地局またはアクセスネットワークノードを含み得る。
【０００４】
[0004]ワイヤレス多元接続技術は、様々なワイヤレスデバイスが都市、国家、地域、さらには地球規模で通信することを可能にする共通プロトコルを提供するために、様々な電気通信規格において採用されている。例示的な電気通信規格はＬＴＥである。ＬＴＥは、スペクトル効率を改善し、コストを低下させ、サービスを改善し、新しいスペクトルを利用し、他のオープン規格とよりよく一体化するように設計される。ＬＴＥは、ダウンリンク（ＤＬ）上のＯＦＤＭＡと、アップリンク（ＵＬ）上のシングルキャリア周波数分割多元接続（ＳＣ−ＦＤＭＡ）と、多入力多出力（ＭＩＭＯ）アンテナ技術とを使用し得る。
【０００５】
[0005]いくつかのワイヤレス通信システムは、短縮送信時間間隔（ｓＴＴＩｓ）を使用した基地局とＵＥとの間の低レイテンシ通信をサポートする。基地局は、ｓＴＴＩ内でダウンリンク送信またはアップリンク送信をスケジュールするためにｓＴＴＩ内の制御チャネル中で制御情報を送信し得る。場合によっては、ｓＴＴＩ内での制御情報の送信のために利用可能なリソース要素の数は、ｓＴＴＩにわたって変化し得、ｓＴＴＩ内での制御シグナリングのためのリソースの適切な量を識別するのは困難であり得る。
【発明の概要】
【０００６】
[0006]基地局は、短縮送信時間間隔（ｓＴＴＩ）の特性に基づいて変化するアグリゲーションレベルまたは制御チャネル要素（ＣＣＥ）構造を使用してｓＴＴＩの制御領域中でユーザ機器（ＵＥ）にダウンリンク制御情報（ＤＣＩ）を送信し得る。一例として、制御領域は、セル固有基準信号（ＣＲＳ）、復調基準信号（ＤＭＲＳ）、またはチャネル状態情報（ＣＳＩ）基準信号（ＣＳＩ−ＲＳ）などの送信を含み得る。本明細書で説明するように、アグリゲーションレベルまたはＣＣＥ構造は、ＤＣＩの送信のために利用可能なシンボルの数、ｓＴＴＩの制御領域中に含まれるべき基準信号のタイプ、またはその両方に基づいて選択され得る。詳細には、アグリゲーションレベルまたはＣＣＥ構造は、使用される基準信号のタイプ（たとえば、ＤＭＲＳ、ＣＲＳなど）に基づいて選択され得る。代替または追加として、ｓＴＴＩインデックスがｓＴＴＩ内でＤＣＩのために利用可能なリソース要素の数に対応し得るので、アグリゲーションレベルまたはＣＣＥ構造は、ＤＣＩを含むｓＴＴＩのインデックスに基づいて選択され得る。
【０００７】
[0007]第１のＴＴＩ持続時間と第１のＴＴＩ持続時間よりも大きい第２のＴＴＩ持続時間とをサポートするシステムにおけるワイヤレス通信の方法について説明する。本方法は、第１の持続時間のＴＴＩの制御領域を識別することと、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定することと、決定されたＣＣＥ構造またはアグリゲーションレベルに従ってダウンリンク制御情報（ＤＣＩ）のための第１の持続時間のＴＴＩの制御領域を監視することとを含み得る。
【０００８】
[0008]第１のＴＴＩ持続時間と第１のＴＴＩ持続時間よりも大きい第２のＴＴＩ持続時間とをサポートするシステムにおけるワイヤレス通信のための装置について説明する。本装置は、第１の持続時間のＴＴＩの制御領域を識別するための手段と、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定するための手段と、決定されたＣＣＥ構造またはアグリゲーションレベルに従ってＤＣＩのための第１の持続時間のＴＴＩの制御領域を監視するための手段とを含み得る。
【０００９】
[0009]第１のＴＴＩ持続時間と第１のＴＴＩ持続時間よりも大きい第２のＴＴＩ持続時間とをサポートするシステムにおけるワイヤレス通信のための別の装置について説明する。本装置は、プロセッサと、プロセッサと電子通信しているメモリと、メモリに記憶された命令とを含み得る。本命令は、第１の持続時間のＴＴＩの制御領域を識別することと、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定することと、決定されたＣＣＥ構造またはアグリゲーションレベルに従ってＤＣＩのための第１の持続時間のＴＴＩの制御領域を監視することとをプロセッサに行わせるように動作可能であり得る。
【００１０】
[0010]第１のＴＴＩ持続時間と第１のＴＴＩ持続時間よりも大きい第２のＴＴＩ持続時間とをサポートするシステムにおけるワイヤレス通信のための非一時的コンピュータ可読媒体について説明する。本非一時的コンピュータ可読媒体は、第１の持続時間のＴＴＩの制御領域を識別することと、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定することと、決定されたＣＣＥ構造またはアグリゲーションレベルに従ってＤＣＩのための第１の持続時間のＴＴＩの制御領域を監視することとをプロセッサに行わせるように動作可能な命令を含み得る。
【００１１】
[0011]第１のＴＴＩ持続時間と第１のＴＴＩ持続時間よりも大きい第２のＴＴＩ持続時間とをサポートするシステムにおけるワイヤレス通信の方法について説明する。本方法は、第１の持続時間のＴＴＩの制御領域を識別することと、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定することと、決定されたＣＣＥ構造またはアグリゲーションレベルに従って第１の持続時間のＴＴＩの制御領域中でＤＣＩを送信することとを含み得る。
【００１２】
[0012]第１のＴＴＩ持続時間と第１のＴＴＩ持続時間よりも大きい第２のＴＴＩ持続時間とをサポートするシステムにおけるワイヤレス通信のための装置について説明する。本装置は、第１の持続時間のＴＴＩの制御領域を識別するための手段と、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定するための手段と、決定されたＣＣＥ構造またはアグリゲーションレベルに従って第１の持続時間のＴＴＩの制御領域中でＤＣＩを送信するための手段とを含み得る。
【００１３】
[0013]第１のＴＴＩ持続時間と第１のＴＴＩ持続時間よりも大きい第２のＴＴＩ持続時間とをサポートするシステムにおけるワイヤレス通信のための別の装置について説明する。本装置は、プロセッサと、プロセッサと電子通信しているメモリと、メモリに記憶された命令とを含み得る。本命令は、第１の持続時間のＴＴＩの制御領域を識別することと、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定することと、決定されたＣＣＥ構造またはアグリゲーションレベルに従って第１の持続時間のＴＴＩの制御領域中でＤＣＩを送信することとをプロセッサに行わせるように動作可能であり得る。
【００１４】
[0014]第１のＴＴＩ持続時間と第１のＴＴＩ持続時間よりも大きい第２のＴＴＩ持続時間とをサポートするシステムにおけるワイヤレス通信のための非一時的コンピュータ可読媒体について説明する。本非一時的コンピュータ可読媒体は、第１の持続時間のＴＴＩの制御領域を識別することと、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定することと、決定されたＣＣＥ構造またはアグリゲーションレベルに従って第１の持続時間のＴＴＩの制御領域中でＤＣＩを送信することとをプロセッサに行わせるように動作可能な命令を含み得る。
【図面の簡単な説明】
【００１５】
【図１】[0015]本開示の態様による、低レイテンシシステムにおける物理ダウンリンク制御チャネル（ＰＤＣＣＨ）構造をサポートするワイヤレス通信システムの一例を示す図。
【図２】[0016]本開示の態様による、低レイテンシシステムにおけるＰＤＣＣＨ構造をサポートするワイヤレス通信システムの一例を示す図。
【図３】[0017]本開示の態様による、低レイテンシシステムにおけるリソース構造の一例を示す図。
【図４】[0018]本開示の態様による、低レイテンシシステムにおけるＰＤＣＣＨ構造をサポートするプロセスフローの一例を示す図。
【図５】[0019]本開示の態様による、低レイテンシシステムにおけるＰＤＣＣＨ構造をサポートするデバイスのブロック図。
【図６】本開示の態様による、低レイテンシシステムにおけるＰＤＣＣＨ構造をサポートするデバイスのブロック図。
【図７】本開示の態様による、低レイテンシシステムにおけるＰＤＣＣＨ構造をサポートするデバイスのブロック図。
【図８】[0020]本開示の態様による、低レイテンシシステムにおけるＰＤＣＣＨ構造をサポートするデバイスを含むシステムのブロック図。
【図９】[0021]本開示の態様による、低レイテンシシステムにおけるＰＤＣＣＨ構造をサポートするデバイスのブロック図。
【図１０】本開示の態様による、低レイテンシシステムにおけるＰＤＣＣＨ構造をサポートするデバイスのブロック図。
【図１１】本開示の態様による、低レイテンシシステムにおけるＰＤＣＣＨ構造をサポートするデバイスのブロック図。
【図１２】[0022]本開示の態様による、低レイテンシシステムにおけるＰＤＣＣＨ構造をサポートする基地局などのデバイスを含むシステムのブロック図。
【図１３】[0023]本開示の態様による、低レイテンシシステムにおけるＰＤＣＣＨ構造をサポートする方法を示す図。
【図１４】本開示の態様による、低レイテンシシステムにおけるＰＤＣＣＨ構造をサポートする方法を示す図。
【発明を実施するための形態】
【００１６】
[0024]本明細書で説明するワイヤレス通信システムは、短縮送信時間間隔（ｓＴＴＩ）を使用してユーザ機器（ＵＥ）にダウンリンク制御情報（ＤＣＩ）をシグナリングするための効率的な技法をサポートし得る。基地局は、ＤＣＩのために利用可能なリソース要素の数に基づいてＤＣＩの送信のための適切なアグリゲーションレベルまたは制御チャネル要素（ＣＣＥ）構造を選択し得る。
【００１７】
[0025]例として、いくつかのワイヤレス通信システムは、基地局とＵＥとの間の低レイテンシ通信をサポートし得る。低レイテンシ通信は、ｓＴＴＩ上での通信によって特徴づけられ得る。たとえば、低レイテンシ通信のために使用されるＴＴＩの持続時間は、他のタイプの通信のために使用されるＴＴＩの持続時間よりも短い持続時間を有し得る。これらのより短い持続時間または低レイテンシＴＴＩは、ｓＴＴＩと呼ばれることがある。場合によっては、ｓＴＴＩは、ｓＴＴＩ中の１つまたは複数のシンボルにわたる制御領域を含み得る。
【００１８】
[0026]制御領域は、ｓＴＴＩ中の通信のためにＤＣＩを送信するために使用され得る。ただし、場合によっては、制御領域内のリソース要素は、他の送信（たとえば、基準信号の送信）のために使用され得る。そのような場合、ＤＣＩのために利用可能なリソース要素の数は、他の送信のために使用されるリソース要素の数に依存し得る。したがって、ＴＴＩ内の制御シグナリングに十分な量のリソースを割り振ることは困難であり得、ＴＴＩ内の制御シグナリングにリソースを割り振るための非効率的な技法は、（たとえばＤＣＩが復号可能でないことがあるので）ワイヤレス通信システムにおいて低減されたスループットを生じ得る。
【００１９】
[0027]本明細書で説明するように、ワイヤレス通信システムは、ｓＴＴＩ内でのＤＣＩの送信に使用すべき適切な数のリソースを選択するための効率的な技法をサポートし得る。場合によっては、ＵＥにＤＣＩを送信するために使用されるＣＣＥ構造が固定され得る。そのような場合、ＤＣＩ送信のために使用されるアグリゲーションレベルは、ＤＣＩに十分なリソースを与えるように選択され得る。他の場合には、ＵＥへのＤＣＩ送信のために使用されるＣＣＥのサイズは可変であり得る。そのような場合、ＤＣＩ送信のために使用されるＣＣＥのサイズは、ＤＣＩに十分なリソースを与えるように選択され得る。たとえば、ｓＰＤＣＣＨがＣＲＳベースのものである場合、ＣＣＥは４つのＲＥＧを含み得る。別の例では、ｓＰＤＣＣＨが復調基準信号（ＤＭＲＳ）ベースのものである場合、ｓＴＴＩが２つのシンボルを含むときは、ＣＣＥは４つのＲＥＧを含み得、ｓＴＴＩが３つのシンボルを含むときは、ＣＣＥは６つのＲＥＧを含み得る。
【００２０】
[0028]上記で紹介した本開示の態様は、ワイヤレス通信システムのコンテキストで以下で説明する。次いで、低レイテンシシステムのための物理ダウンリンク制御チャネル（ＰＤＣＣＨ）構造をサポートするプロセスおよびシグナリング交換の例について説明する。本開示の態様を、さらに、低レイテンシシステムのためのＰＤＣＣＨ構造に関係する装置図、システム図、およびフローチャートによって示し、それらを参照しながら説明する。
【００２１】
[0029]図１に、本開示の様々な態様による、低レイテンシシステムのためのＰＤＣＣＨ構造をサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）、ＬＴＥアドバンスト（ＬＴＥ−Ａ）ネットワーク、または新無線（ＮＲ）ネットワークであり得る。場合によっては、ワイヤレス通信システム１００は、拡張ブロードバンド通信、超高信頼（すなわち、ミッションクリティカル）通信、低レイテンシ通信、ならびに低コストおよび低複雑度デバイスを用いた通信をサポートし得る。
【００２２】
[0030]基地局１０５は、１つまたは複数の基地局アンテナを介してＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク送信、または基地局１０５からＵＥ１１５へのダウンリンク送信を含み得る。様々な技法に従ってアップリンクチャネルまたはダウンリンク上で制御情報およびデータが多重化され得る。制御情報およびデータは、たとえば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ）中に送信される制御情報は、カスケード方式で異なる制御領域間で（たとえば、共通制御領域と１つまたは複数のＵＥ固有制御領域との間で）配信され得る。
【００２３】
[0031]ＵＥ１１５は、ワイヤレス通信システム１００全体にわたって分散され得、各ＵＥ１１５は固定型または移動型であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ：Internet of things）デバイス、あらゆるモノのインターネット（ＩｏＥ：Internet of Everything）デバイス、マシンタイプ通信（ＭＴＣ）デバイス、アプライアンス、自動車などであり得る。
【００２４】
[0032]基地局１０５は、コアネットワーク１３０とおよび互いに通信し得る。たとえば、基地局１０５は、バックホールリンク１３２（たとえば、Ｓ１など）を通してコアネットワーク１３０とインターフェースし得る。基地局１０５は、直接的または間接的のいずれかで（たとえば、コアネットワーク１３０を通して）、バックホールリンク１３４（たとえば、Ｘ２など）を介して互いに通信し得る。基地局１０５は、ＵＥ１１５との通信のための無線構成およびスケジューリングを実施し得るか、または基地局コントローラ（図示されず）の制御下で動作し得る。いくつかの例では、基地局１０５は、マクロセル、スモールセル、ホットスポットなどであり得る。基地局１０５は発展型ノードＢ（ｅＮＢ）１０５と呼ばれることもある。
【００２５】
[0033]ＵＥ１１５と基地局１０５との間の通信リンク１２５は、時間および周波数リソースなどの物理リソースの編成であり得るか、またはそれを表し得る。時間および周波数の基本単位は、リソース要素と呼ばれることがある。リソース要素は、１つのシンボル期間と、１つのサブキャリア（たとえば、１５ＫＨｚの周波数範囲）とからなり得る。いくつかのワイヤレス通信システム（たとえば、ＬＴＥシステム）では、リソースブロックは、周波数領域中に１２個の連続するサブキャリアを含み、各直交周波数分割多重（ＯＦＤＭ）シンボル中のノーマルサイクリックプレフィックスについて、時間領域（１つのスロット）中に７つの連続するＯＦＤＭシンボルを含み、すなわち８４個のリソース要素を含み得る。他のワイヤレス通信システム（たとえば、低レイテンシシステム）では、リソースブロックは、周波数領域中に１２個の連続するサブキャリアと時間領域中に１つのシンボルと、または１２個のリソース要素を含み得る。各リソース要素によって搬送されるビット数は、変調方式（各シンボル期間の間に選択され得るシンボルの構成）に依存し得る。したがって、ＵＥが受信するリソースブロックが多いほど、また変調方式が高いほど、データレートは高くなり得る。
【００２６】
[0034]ワイヤレス通信システム１００では、ＴＴＩは、基地局１０５がアップリンクまたはダウンリンク送信についてＵＥ１１５をスケジュールし得る時間の最小単位として定義され得る。一例として、基地局１０５は、ＵＥ１１５とのダウンリンク通信に１つまたは複数のＴＴＩを割り振り得る。ＵＥ１１５は、次いで、基地局１０５からダウンリンク信号を受信するために１つまたは複数のＴＴＩを監視し得る。いくつかのワイヤレス通信システム（たとえば、ＬＴＥ）では、サブフレームは、スケジューリングまたはＴＴＩの基本単位であり得る。他の場合には、低レイテンシ動作などでは、異なる、低減された持続時間のＴＴＩ（たとえば、ｓＴＴＩ）が使用され得る。ワイヤレス通信システム１００は、様々なＴＴＩ持続時間を採用し得る。
【００２７】
[0035]場合によっては、ｓＴＴＩは、サブフレームよりも少ないシンボル（たとえば、１つ、２つ、または３つのシンボル）を含み得る。ｓＴＴＩは、ｓＴＴＩ内のデータチャネル（たとえば、物理ダウンリンク共有チャネル（ＰＤＳＣＨ））上でのダウンリンクまたはアップリンク通信をスケジュールするために使用される制御チャネル（たとえば、物理ダウンリンク制御チャネル（ＰＤＣＣＨ））を含み得る。言い換えれば、ｓＴＴＩは、自己完結型であり得る。ｓＴＴＩが（たとえば、他のＴＴＩよりも少ない）ほんのいくつかのシンボルしか含まないことがあるので、ｓＴＴＩは、ＵＥに制御情報を送信するために使用される短ＰＤＣＣＨ（ｓＰＤＣＣＨ）で構成され得る。ｓＰＤＣＣＨは、ＵＥ１１５のための制御情報を含み得る短制御チャネル要素（ｓＣＣＥ）と短リソース要素グループ（ｓＲＥＧ）とを含み得る。ｓＲＥＧは、１つの直交周波数分割多重（ＯＦＤＭ）シンボル内に１２個のサブキャリアを含むリソースブロックからなり得る。（たとえば、制御チャネルとして使用される）制御シグナリングのために使用されるシンボルの数は、上位レイヤのシグナリングによって構成され得る。
【００２８】
[0036]場合によっては、ｓＲＥＧ内のリソース要素は、ＤＣＩ送信以外の送信のために使用され得る。たとえば、ｓＲＥＧ内のリソース要素は、異なるタイプの基準信号（たとえば、セル固有基準信号（ＣＲＳ）、ＤＭＲＳ、およびチャネル状態情報基準信号（ＣＳＩ−ＲＳ））を送信するために使用され得る。したがって、ｓＴＴＩ内のＤＣＩの送信のために利用可能なリソース要素の数は、ｓＴＴＩ内の他の送信のために使用されるリソース要素の数に依存し得る。いくつかの態様では、たとえば、制御チャネル内の他の送信に適応しながら、制御シグナリングに適切な量のリソースを割り振るのは困難であり得る。
【００２９】
[0037]ワイヤレス通信システム１００は、基地局１０５とＵＥ１１５との間の制御シグナリングのための適切な量のリソースを識別するための効率的な技法をサポートし得る。詳細には、ワイヤレス通信システム１００は、ｓＴＴＩ内でのＤＣＩの送信のための適切なアグリゲーションレベルまたはＣＣＥ構造を選択するための効率的な技法をサポートし得る。場合によっては、ｓＣＣＥは、固定数のｓＲＥＧ（たとえば、固定サイズのｓＣＣＥ）を含み得る。たとえば、ｓＣＣＥは、ＣＲＳベースの制御のための固定数のｓＲＥＧを含み得る。そのような場合、制御シグナリングのために利用可能なリソース要素の数が低い場合、基地局は、制御シグナリングを送信するためにより大きいアグリゲーションレベルまたはＣＣＥサイズを使用し得る。他の場合には、ｓＣＣＥ内のｓＲＥＧの数は変化し得る。そのようなことは、基準信号がＤＭＲＳである場合にあり得る。そのような場合、制御情報の送信のために使用されるｓＣＣＥ内のｓＲＥＧの数（たとえば、ｓＣＣＥのサイズ）は、ｓＴＴＩ内の制御シグナリングのために利用可能なリソース要素の数に依存し得るか、またはｓＴＴＩを形成するＯＦＤＭシンボルの数に依存し得る。
【００３０】
[0038]図２に、本開示の様々な態様による、低レイテンシシステムにおけるＰＤＣＣＨ構造をサポートするワイヤレス通信システム２００の一例を示す。ワイヤレス通信システム２００は、図１を参照しながら説明した基地局１０５とＵＥ１１５との例であり得る基地局１０５−ａとＵＥ１１５−ａとを含む。基地局１０５−ａは、カバレージエリア１１０−ａに通信カバレージを与え得る。基地局１０５−ａとＵＥ１１５−ａとは、キャリア２０５のリソース上で通信し得る。図２の例では、基地局１０５−ａは、キャリア２０５のリソース上でｓＴＴＩ中にＵＥ１１５−ａとの低レイテンシ通信をサポートし得る。
【００３１】
[0039]基地局１０５−ａは、ｓＴＴＩ中のｓＰＤＣＣＨ（すなわち、ＴＴＩの制御領域）を使用してキャリア２０５上でのｓＴＴＩ内での通信をスケジュールし得る。詳細には、基地局１０５−ａは、ｓＴＴＩのｓＰＤＣＣＨ中でＤＣＩを送信し得る。図１を参照しながら説明したように、ｓＰＤＣＣＨは、受信ＵＥ１１５−ａのためのＤＣＩを含んでいるｓＲＥＧを含み得るｓＣＣＥを含み得る。場合によっては、ｓＰＤＣＣＨ内のｓＣＣＥは、固定数のｓＲＥＧ（たとえば、４つのｓＲＥＧ）を含み得、他の場合には、ｓＰＤＣＣＨ内のｓＣＣＥは、可変数のｓＲＥＧ（たとえば、３つ、４つ、または６つ）を含み得る。
【００３２】
[0040]場合によっては、ｓＲＥＧ内でＤＣＩのために利用可能なリソース要素の数は、ｓＲＥＧ中の他のシグナリングのために使用されるリソース要素の数に応じて変化し得る。たとえば、ＤＭＲＳベースの基準信号復調方式では、ＲＥＧは、ｓＴＴＩ中でＤＣＩのために利用可能な最大９つのリソース要素（たとえば、ＤＭＲＳを含んでいる最小３つのリソース要素）を含み得る。代替的に、ＣＲＳベースの基準信号復調方式では、ＲＥＧは、ＤＣＩのために利用可能な最大１２個のリソース要素（たとえば、ＣＲＳを含んでいる最小０個のリソース要素）を含み得る。さらに、ｓＲＥＧ中のリソース要素はＣＳＩ−ＲＳを含み、ＤＣＩのために利用可能なリソース要素の数をさらに低減し得る。
【００３３】
[0041]ワイヤレス通信システム２００は、ｓＴＴＩのｓＰＤＣＣＨ中のＤＣＩに十分なリソースを与えることのための効率的な技法をサポートし得る。たとえば、基地局１０５−ａは、ｓＰＤＣＣＨを含むｓＴＴＩのｓＴＴＩインデックスに基づいてｓＰＤＣＣＨ中でのＤＣＩ送信のためのｓＣＣＥ構造またはアグリゲーションレベルを決定し得る。いくつかの例では、ｓＰＤＣＣＨ内のｓＣＣＥは、固定数のｓＲＥＧ（たとえば、固定サイズのｓＣＣＥ）を含み得、アグリゲーションレベルは、ＤＣＩに十分なリソースを与えるように決定され得、他の例では、ｓＴＴＩ内のｓＣＣＥは、可変数のｓＲＥＧ（たとえば、可変サイズのｓＣＣＥ）を含み得、ｓＲＥＧの数は、ＤＣＩに十分なリソースを与えるように構成され得る。ＣＲＳ、ＤＭＲＳ、ＣＳＩ−ＲＳなどを含んでいるリソース要素の数がｓＴＴＩのインデックスに依存し得るので、ｓＴＴＩインデックスは、ＤＣＩのために利用可能なリソース要素の数に対応し得る。
【００３４】
[0042]本明細書で説明するように、基地局１０５−ａは、ＤＣＩのために利用可能なより多数のリソース要素をもつｓＴＴＩ中でのＤＣＩ送信のためにより小さいアグリゲーションレベルまたはより小さいｓＣＣＥを使用し得、基地局１０５−ａは、ＤＣＩのために利用可能なより多数のリソース要素をもつｓＴＴＩ中でのＤＣＩ送信のためにより大きいアグリゲーションレベルまたはより大きいｓＣＣＥを使用し得る。さらに、基地局１０５−ａは、ｓＴＴＩのｓＰＤＣＣＨ内でＤＣＩのために利用可能なリソース要素の数があるしきい値を上回るのかどうかを決定することに基づいてｓＴＴＩ中でのＤＣＩ送信のためのｓＣＣＥ構造またはアグリゲーションレベルを決定し得る。アグリゲーションレベルがｓＴＴＩインデックスに基づいて選択され得るので、アグリゲーションレベルは、サブフレーム内のｓＴＴＩごとに異なり得る。場合によっては、ＤＣＩ送信のためのアグリゲーションレベルを決定することはまた、本明細書では、アグリゲーションレベルごとのブラインド復号の数を決定することを指すことがあり、これは、ｓＴＴＩインデックスまたはｓＴＴＩインデックスのグループと相関していることがある。
【００３５】
[0043]ｓＴＴＩインデックスに基づいてｓＴＴＩ中でのＤＣＩ送信のためのＣＣＥ構造またはアグリゲーションレベルを決定することに加えて、基地局１０５−ａは、他のファクタに基づいてＣＣＥ構造またはアグリゲーションレベルを決定し得る。場合によっては、アグリゲーションレベルのセットが知られていることがあり、アグリゲーションレベルごとに、ブラインド復号の数はサポートされなければならない。たとえば、アグリゲーションレベル４のためのブラインド復号の数が０である場合、このアグリゲーションレベルがサポートされないことを意味する。ｓＴＴＩごとに、またはｓＴＴＩのグループのために、基地局１０５−ａは、アグリゲーションレベルごとにブラインド復号の数を構成し得る。いくつかの態様では、基地局１０５−ａは、ｓＴＴＩ中でのＤＣＩ送信のために使用される基準信号復調方式の構成されたタイプ（たとえば、ＤＭＲＳベースのｓＰＤＣＣＨまたはＣＲＳベースのｓＰＤＣＣＨ）に基づいてＣＣＥ構造またはアグリゲーションレベルを決定し得る。たとえば、ＣＲＳベースのｓＰＤＣＣＨは、ＤＭＲＳベースのｓＰＤＣＣＨよりもＤＣＩのために利用可能なより多数のリソース要素を有し得、したがって、基地局１０５−ａは、ＣＲＳベースのｓＰＤＣＣＨ上でのＤＣＩ送信のためによりもＤＭＲＳベースのｓＰＤＣＣＨ上でのＤＣＩ送信のためにより大きいｓＣＣＥまたはより大きいアグリゲーションレベルを使用し得る。別の例では、ＣＲＳベースのｓＰＤＣＣＨは、固定のＣＣＥ構造を有し得、ＤＭＲＳベースのｓＰＤＣＣＨは、可変のＣＣＥ構造（たとえば、ｓＴＴＩ中のシンボルの数に基づくＣＣＥ構造）を有し得る。
【００３６】
[0044]基地局１０５−ａは、ｓＰＤＣＣＨにＤＣＩをマッピングするために使用される技法（たとえば、分散または局所化マッピング）に基づいてＣＣＥ構造またはアグリゲーションレベルをさらに決定し得る。たとえば、ＤＣＩは、分散マッピングのためにより拡散され得るので、基地局１０５−ａは、分散マッピングのためにより大きいｓＣＣＥまたはより大きいアグリゲーションレベル（たとえば、２、４、８、または１６）を使用し、局所化マッピングのためにより小さいｓＣＣＥまたはより小さいアグリゲーションレベル（たとえば、１、２、４、または８）を使用し得る。追加または代替として、基地局１０５−ａは、ｓＴＴＩの制御領域中で送信されるＤＣＩのＤＣＩフォーマット（たとえば、短ＤＣＩ）に基づいてＤＣＩ送信のためのＣＣＥ構造またはアグリゲーションレベルを決定し得る。各ＤＣＩフォーマットは、ペイロードサイズに関連付けられ得、基地局１０５−ａは、より大きいペイロードサイズをもつＤＣＩフォーマット（たとえば、ダウンリンク多入力多出力（ＭＩＭＯ）に関連するＤＣＩフォーマット）のためにより大きいｓＣＣＥまたはより大きいアグリゲーションレベルを使用し得る。
【００３７】
[0045]上記で説明した技法により、ｓＴＴＩ中でのＤＣＩ送信のためのアグリゲーションレベルの適切な選択が可能になる。ただし、場合によっては、制御領域が多数のユーザのためのＤＣＩを含む場合、制御領域は、システム帯域幅の大部分にわたり得、これは、高いオーバーヘッドを生じ得る。本明細書で説明するように、オーバーヘッドを制限するために、基地局１０５−ａは、ｓＴＴＩ中でＤＣＩを含むシンボルの数に基づいてｓＴＴＩ中でのＤＣＩ送信のためのアグリゲーションレベル（またはアグリゲーションレベルのセット）を決定し得る。たとえば、基地局１０５−ａは、１つのシンボル上でのＤＣＩ送信の場合よりも２つのシンボル上でのＤＣＩ送信の場合により大きいアグリゲーションレベルを使用し得る。基地局１０５−ａは、ＵＥ１１５−ａにＤＣＩを含み得るシンボルの数をシグナリングし得、ＵＥ１１５−ａは、ＤＣＩを含むシンボルの数に基づいてｓＰＤＣＣＨ中でのＤＣＩ送信のために使用されるアグリゲーションレベルを決定し得る。
【００３８】
[0046]上記で説明した技法に加えて、基地局は、ｓＴＴＩの制御領域中の未使用のリソース要素を利用するためにＤＣＩを含んでいるリソース要素の周りでデータビットをレートマッチングし得る。基地局１０５−ａは、（たとえば、ＤＣＩ中のレートマッチングビットフィールド中で）どのリソース要素がＤＣＩのために使用されないのかをＵＥ１１５−ａに示し得、ＵＥ１１５−ａは、これらのリソース要素がダウンリンクデータを含んでいると決定し得る。ただし、場合によっては、ＵＥ１１５−ａがダウンリンクデータを含んでいるリソース要素を識別することを可能にするためにＤＣＩを含んでいるリソース要素のロケーションをシグナリングするのは困難であり得る。ＤＣＩを含んでいるリソース要素のロケーションをシグナリングするための非効率的な技法は、ワイヤレス通信システムにおいて低減されたスループットを生じ得る。
【００３９】
[0047]ワイヤレス通信システム２００は、ＵＥ１１５−ａが、ｓＴＴＩの制御領域中の残りのリソース要素上で送信されるダウンリンクデータを受信し、復号することを可能にするためにＤＣＩを含んでいるリソース要素のロケーションをシグナリングするための効率的な技法をサポートし得る。いくつかの例では、ｓＴＴＩの制御領域中の各ｓＣＣＥは、（たとえばＣＲＳベースの制御のために）ｓＣＣＥのロケーションを示すために使用されるシグナリングの量を制限するために単一のシンボルにわたり得る。他の例では、アグリゲーションレベルの復号候補はまた、ＤＣＩを含んでいる復号候補のロケーションを示すために使用されるシグナリングの量を制限するために単一のシンボルにわたり得る。さらに他の例では、ｓＣＣＥは、制御領域中でのｓＣＣＥのロケーションを示すために使用されるシグナリングの量を制限するために最初に周波数を優先し、次に時間を優先する方式でインデックス付けされ得る。同様に、ｓＲＥＧはまた、ｓＣＣＥ中でのｓＲＥＧのロケーションを示すために使用されるシグナリングの量を制限するために最初に周波数を優先し、次に時間を優先する方式でインデックス付けされ得る。
【００４０】
[0048]場合によっては、ｓＴＴＩ中でのＤＣＩ送信のために使用されるシンボルの数は、セル固有であり得る。たとえば、基地局１０５−ａは、カバレージエリア１１０−ａ内のＵＥ１１５−ａ（たとえば、セルによってサービスされているＵＥ１１５）へのＤＣＩ送信のために同数のシンボルを使用し得る。したがって、基地局１０５−ａは、ＵＥ１１５−ａが、ＤＣＩを含んでいるリソース要素の周りでレートマッチングされたデータリソースのロケーションを決定することを可能にするためにＤＣＩを含んでいるリソース要素のロケーションを示すために制限されたシグナリングを使用することが可能であり得る。
【００４１】
[0049]他の場合には、ｓＴＴＩ中でのＤＣＩ送信のために使用されるシンボルの数は、ＵＥ固有であり得る。たとえば、基地局１０５−ａは、カバレージエリア１１０−ａ内の異なるＵＥ１１５（たとえば、セルによってサービスされているＵＥ１１５）へのＤＣＩ送信のために異なる数のシンボルを使用し得る。そのような場合、カバレージエリア１１０−ａ内のＵＥが、１つのシンボル（たとえば、１シンボル制御領域）、２つのシンボル（たとえば、２シンボル制御領域）上でＤＣＩを受信するように構成され得るか、またはカバレージエリア１１０−ａ中のＵＥ１１５のサブセットが、１つのシンボル上でＤＣＩを受信するように構成され得、カバレージエリア１１０−ａ中のＵＥ１１５の別のサブセットが、２つのシンボル上でＤＣＩを受信するように構成され得る。
【００４２】
[0050]したがって、ＵＥ１１５−ａは、他のＵＥが１シンボル制御領域中でＤＣＩを受信するように構成されているのか、２シンボル制御領域中でＤＣＩを受信するように構成されているのか、または２つのタイプの制御領域の組合せで（すなわち、いくつかのＵＥが１シンボル制御領域で構成され、他のものが２シンボル制御領域で構成された状態で）ＤＣＩを受信するように構成されているのかを示すシグナリングを受信し得る。また、場合によっては、ＵＥ１１５−ａは、シグナリングに基づいてＤＣＩを含んでいるリソース要素のロケーションを決定し得る。他の場合には、基地局１０５−ａは、ＵＥ１１５−ａがＤＣＩを含んでいるリソース要素のロケーションを決定することを可能にするためにＤＣＩを含んでいる制御領域の一部分をシグナリングするために追加のビット（たえば、２ビット））を使用し得る。言い換えれば、基地局１０５−ａは、ＵＥ１１５−ａが、ＤＣＩを含んでいるリソース要素の周りでレートマッチングされたデータリソースのロケーションを決定することを可能にするためにＤＣＩを含んでいるリソース要素の一部分のロケーションを示すために制限されたシグナリング（たとえば、２ビット）を使用することが可能であり得る。
【００４３】
[0051]たとえば、（たとえば、ＵＥ１１５−ａを含む）カバレージエリア１１０−ａ内のＵＥは、１シンボル制御領域または２シンボル制御領域で構成され得、基地局は、制御領域のどの一部分がＤＣＩを含んでいるのかを示すために追加のビットを送信し得る。基地局１０５−ａは、制御領域全体がデータ送信のために利用可能である（すなわち、ＤＣＩが含まれない）ことを示すために「００」を送信し、制御領域内のリソース要素の前半がＤＣＩを含んでいることを示すために送信し、制御領域内のリソース要素の４分の３がＤＣＩを含んでいることを示すために「１０」を送信し、制御領域全体がＤＣＩを含んでいることを示すために「１１」を送信し得る。代替的に、追加のビットの各々は、制御領域内のリソース要素の一部分がＤＣＩを含んでいるのかどうかに対応し得る。たとえば、２ビットのインジケータの第１のビットは、リソース要素の前半または制御領域内のＣＣＥの第１のグループがＤＣＩを含んでいるのかどうかを指すために使用され得、一方、２ビットのインジケータの第２のビットは、制御領域内のリソース要素の後半がＤＣＩを含んでいるのかどうかを示すために使用され得る。場合によっては、制御領域の一部分が占有されていると示される場合、ＵＥのためのＰＤＳＣＨは、制御領域のそれらのリソースにマッピングされ得ない。さらに、カバレージエリア１１０−ａ内の他のＵＥが、制御領域ごとに異なる数のシンボルで構成され、ＵＥ１１５−ａが、２シンボルの制御領域で構成される場合、基地局１０５−ａは、ＤＣＩを含んでいる第２のシンボル中で制御領域の一部分に関する情報を搬送するために「０１」または「１０」を送信し得る。
【００４４】
[0052]図３には、本開示の様々な態様による、低レイテンシシステムにおけるリソース構造３００の一例を示す。リソース構造３００は、本明細書で説明するリソースの様々なグループの図を与える。リソース構造３００は、いくつかのワイヤレス通信システム（たとえば、ＬＴＥシステム）におけるＴＴＩを表し得るサブフレーム３０５を含む。サブフレーム３０５は、他のワイヤレス通信システム（たとえば、低レイテンシシステム）におけるＴＴＩを表し得る複数のｓＴＴＩ３１０を含み得る。
【００４５】
[0053]ｓＴＴＩ３１０は、複数のシンボル（たとえば、２つまたは３つの）シンボルをそれぞれ含み得、各ｓＴＴＩ３１０は、自己完結型であり得る。すなわち、各ｓＴＴＩ３１０は、ｓＴＴＩ３１０（たとえば、アップリンクまたはダウンリンクの低レイテンシ通信）中に低レイテンシデータの送信をスケジュールする制御領域を含み得る。さらに、各ｓＴＴＩ３１０は、ｓＴＴＩ３１０の制御領域中でのＤＣＩの送信のために利用可能なリソース要素の数を示すインデックスに関連付けられ得る。たとえば、サブフレーム３０５中の第３のｓＴＴＩ３１０は、２のインデックスに関連付けられ得、ｓＴＴＩ中で他のシグナリング（たとえば、ＣＲＳ送信）のために使用されるリソース要素の数は、ｓＴＴＩインデックスに基づいて決定され得る。
【００４６】
[0054]ｓＴＴＩ３１０の制御領域は、ｓＰＤＣＣＨと呼ばれることがあり、本明細書で説明するようにリソースの効率的な使用をサポートするように構造化され得る。図示のように、ｓＴＴＩ３１０のシンボル３１５は、システム帯域幅の一部分にわたる複数の（すなわち、２つの）ｓＣＣＥ３２０を含む。ｓＣＣＥ３２０は、ｓＴＴＩ３１０中での通信のために制御情報を与えるために使用されるＤＣＩを含んでいる。基地局１０５は、（図示のように）複数のｓＣＣＥ３２０中にＤＣＩを送信し得、ここで、ＤＣＩの送信のために使用されるｓＣＣＥ３２０の数は、ＤＣＩの送信のために基地局によって使用されるアグリゲーションレベルを表す。図３の例では、基地局は、ｓＴＴＩ３１０（すなわち、２つのｓＣＣＥ３２０）中でのＵＥ１１５への制御送信のために２のアグリゲーションレベルを利用し得る。他の例では、基地局は、ｓＴＴＩ３１０中でのＵＥ１１５への制御送信のために１（すなわち、１つのｓＣＣＥ３２０）、４（すなわち、４つのｓＣＣＥ３２０）などのアグリゲーションレベルを利用し得る。
【００４７】
[0055]各ｓＣＣＥは、固定数のｓＲＥＧ３２５（たとえば、４つ）を含み得るか、または可変数のｓＲＥＧ３２５（図示せず）を含み得る。各ｓＲＥＧ３２５は、シンボル３１５内に１２個のリソース要素３３０を含み得る１つのリソースブロックを含み得る。上記で説明したように、場合によっては、ｓＲＥＧ３２５内のいくつかのリソース要素３３０が他のシグナリング（たとえば、ＣＲＳ、ＤＭＲＳまたはＣＳＩ−ＲＳ送信）のために使用され得る。本明細書で説明する技法により、基地局１０５は、ｓＴＴＩ３１０の特性に基づいてＤＣＩの送信のためのアグリゲーションレベルまたはＣＣＥ構造（たとえば、ＣＣＥサイズ）を識別することが可能になり得る。
【００４８】
[0056]図４に、本開示の様々な態様による、低レイテンシシステムにおけるＰＤＣＣＨ構造をサポートするプロセスフロー４００の一例を示す。プロセスフロー４００に、図１〜図２を参照しながら説明した基地局１０５およびＵＥ１１５の例であり得る、基地局１０５−ｂおよびＵＥ１１５−ｂによって実行される技法の態様を示す。
【００４９】
[0057]４０５および４１０において、基地局１０５−ｂは、第１の持続時間のＴＴＩのインデックスおよび／または基準信号のタイプ（たとえば、ＤＭＲＳベースまたはＣＲＳベースの制御）に基づいて第１の持続時間のＴＴＩ（すなわち、ｓＴＴＩ）の制御領域のためのＣＣＥ構造（たとえば、ｓＣＣＥ構造）またはアグリゲーションレベルを決定し得る。いくつかの例では、ＣＣＥ構造は、固定数のＲＥＧ（たとえば、ｓＲＥＧ）を含み得、アグリゲーションレベルは、第１の持続時間のＴＴＩのインデックスに基づき得る。各ＲＥＧ中のリソース要素の数は、構成された基準信号復調方式（たとえば、ＣＲＳまたはＤＭＲＳベースの復調方式）とは無関係であり得る。場合によっては、ＤＣＩのために利用可能な各ＲＥＧ中のリソース要素の数は、構成された基準信号復調方式に基づき得る。
【００５０】
[0058]いくつかの例では、ＲＥＧのうちの１つまたは複数は、ＣＲＳ、ＤＭＲＳ、またはＣＳＩ−ＲＳ、あるいはそれらの任意の組合せを含んでいるリソース要素を含み得る。他の例では、ＲＥＧのうちの１つまたは複数は、ＣＲＳ、ＤＭＲＳ、またはＣＳＩ−ＲＳ、あるいはそれらの任意の組合せを含んでいるリソース要素を含まないことがある。場合によっては、基地局１０５−ｂは、制御領域中でＤＣＩのために利用可能なリソース要素の数がしきい値を上回るのかどうか、制御領域中のリソース要素がＤＭＲＳを含んでいるのかどうか（すなわち、制御領域がＤＭＲＳベースの復調のために構成されるのか、またはＣＲＳベースの復調のために構成されるのか）、制御領域へのＤＣＩのマッピングが分散されるのかまたは局所化されるのか、あるいはＤＣＩのフォーマットに基づくのかに基づいて制御領域のためのＣＣＥ構造またはアグリゲーションレベルを決定し得る。
【００５１】
[0059]４１５において、基地局１０５−ｂは、決定されたＣＣＥ構造またはアグリゲーションレベルに従って第１の持続時間のＴＴＩの制御領域中でＤＣＩを送信し得る。基地局１０５−ｂは、制御領域のためのシンボルの数を示すシグナリングをＵＥ１１５−ｂに送信し得る。いくつかの例では、基地局１０５−ｂとＵＥ１１５−ｂとは、制御領域のためのシンボルの数に基づいてアグリゲーションレベルを決定し得る。場合によっては、基地局１０５−ｂは、制御領域のためのシンボルの数に基づいてＤＣＩの送信のために使用されるリソース要素の周りでデータビットをレートマッチングし得る。基地局１０５−ｂは、第１の持続時間のＴＴＩ中にレートマッチングされたデータビットを送信し得る。ＵＥ１１５−ｂは、制御領域のためのシンボルの数に基づくレートマッチングを使用して第１の持続時間のＴＴＩ中にデータを受信し得る。
【００５２】
[0060]いくつかの例では、制御領域のためのシンボルの数は、セル固有であり得る。代替的に、制御領域のためのシンボルの数は、ＵＥ固有であり得る。そのような場合、シグナリングは、セル内で通信するＵＥのセットのための制御チャネル構成を示し得る。シグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることを示し得る。
【００５３】
[0061]いくつかの例では、基地局１０５−ｂは、セル内で通信するＵＥのセットのための制御チャネル構成を示す追加のシグナリングを送信すること、ここで、追加のシグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることの指示を含む、を行い得る。基地局１０５−ｂはまた、ＤＣＩを含む制御領域のリソース要素のセットの一部分を示すために追加のシグナリングを送信し得る。
【００５４】
[0062]いくつかの例では、制御領域のためのシンボルの数は２つであり得る。場合によっては、制御領域中の各ＣＣＥは、制御領域中の単一のシンボルにわたり得る。場合によっては、制御領域中のアグリゲーションレベルに関連する各復号候補は、制御領域中の単一のシンボルにわたり得る。場合によっては、制御領域中の各ＣＣＥに、周波数領域中でのＣＣＥのロケーションと、それに続く時間領域中でのＣＣＥのロケーションとを示すインデックスが割り当てられ得る。
【００５５】
[0063]４２０および４２５において、ＵＥ１１５−ｂは、第１の持続時間のＴＴＩのインデックスに基づいて第１の持続時間のＴＴＩの制御領域のためのＣＣＥ構造またはアグリゲーションレベルを決定し得る。さらに、ＵＥ１１５−ｂは、決定されたＣＣＥ構造またはアグリゲーションレベルに従ってＤＣＩのための第１の持続時間のＴＴＩの制御領域を監視し得る。いくつかの例では、ＣＣＥ構造は、固定数のＲＥＧを含み得、アグリゲーションレベルは、第１の持続時間のＴＴＩのインデックスに基づき得る。各ＲＥＧ中のリソース要素の数は、構成された基準信号復調方式とは無関係であり得る。代替的に、ＤＣＩのために利用可能な各ＲＥＧ中のリソース要素の数は、構成された基準信号復調方式に基づき得る。
【００５６】
[0064]いくつかの例では、ＲＥＧのうちの１つまたは複数は、ＣＲＳ、ＤＭＲＳ、またはＣＳＩ−ＲＳ、あるいはそれらの任意の組合せを含んでいるリソース要素を含み得る。他の例では、ＲＥＧのうちの１つまたは複数は、ＣＲＳ、ＤＭＲＳ、またはＣＳＩ−ＲＳ、あるいはそれらの任意の組合せを含んでいるリソース要素を含まないことがある。場合によっては、ＵＥ１１５−ｂは、制御領域中でＤＣＩのために利用可能なリソース要素の数がしきい値を上回るのかどうか、制御領域中のリソース要素がＤＭＲＳを含んでいるのかどうか（すなわち、制御領域がＤＭＲＳベースの復調のために構成されるのかどうか）、制御領域へのＤＣＩのマッピングが分散されるのかまたは局所化されるのか、あるいはＤＣＩのフォーマットに基づくのかに基づいて制御領域のためのＣＣＥ構造またはアグリゲーションレベルを決定し得る。
【００５７】
[0065]図５に、本開示の態様による、低レイテンシシステムにおけるＰＤＣＣＨ構造をサポートするワイヤレスデバイス５０５のブロック図５００を示す。ワイヤレスデバイス５０５は、本明細書で説明するＵＥ１１５の態様の一例であり得る。ワイヤレスデバイス５０５は、受信機５１０と、ＵＥ通信マネージャ５１５と、送信機５２０とを含み得る。ワイヤレスデバイス５０５はプロセッサをも含み得る。これらの構成要素の各々は、（たとえば、１つまたは複数のバスを介して）互いに通信していることがある。
【００５８】
[0066]受信機５１０は、パケット、ユーザデータ、または様々な情報チャネルに関連する制御情報（たとえば、制御チャネル、データチャネル、および低レイテンシシステムにおけるＰＤＣＣＨ構造に関係する情報など）などの情報を受信し得る。情報はデバイスの他の構成要素に受け渡され得る。受信機５１０は、図８を参照しながら説明するトランシーバ８３５の態様の一例であり得る。受信機５１０は、単一のアンテナまたはアンテナのセットを利用し得る。
【００５９】
[0067]ＵＥ通信マネージャ５１５は、図８を参照しながら説明するＵＥ通信マネージャ８１５の態様の一例であり得る。ＵＥ通信マネージャ５１５またはそれの様々な副構成要素のうちの少なくともいくつかは、ハードウェア、プロセッサによって実行されるソフトウェア、ファームウェア、またはそれらの任意の組合せにおいて実装され得る。プロセッサによって実行されるソフトウェアにおいて実装される場合、ＵＥ通信マネージャ５１５またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明する機能を実施するように設計されたそれらの任意の組合せによって実行され得る。
【００６０】
[0068]ＵＥ通信マネージャ５１５またはそれの様々な副構成要素のうちの少なくともいくつかは、１つまたは複数の物理デバイスによって機能の部分が異なる物理的ロケーションにおいて実装されるように分散されることを含めて、様々な位置に物理的に配置され得る。いくつかの例では、ＵＥ通信マネージャ５１５またはそれの様々な副構成要素のうちの少なくともいくつかは、本開示の様々な態様による別個で個別の構成要素であり得る。他の例では、ＵＥ通信マネージャ５１５またはそれの様々な副構成要素のうちの少なくともいくつかは、限定はされないが、本開示の様々な態様による、入出力構成要素、トランシーバ、ネットワークサーバ、別のコンピューティングデバイス、本開示で説明する１つまたは複数の他の構成要素、あるいはそれらの組合せを含む、１つまたは複数の他のハードウェア構成要素と組み合わされ得る。
【００６１】
[0069]ＵＥ通信マネージャ５１５は、第１の持続時間のＴＴＩの制御領域を識別することと、第１の持続時間のＴＴＩのインデックスに基づいて制御領域のためのＣＣＥ構造またはアグリゲーションレベルのうちの少なくとも１つを決定することと、決定されたＣＣＥ構造またはアグリゲーションレベルに従ってＤＣＩのための第１の持続時間のＴＴＩの制御領域を監視することとを行い得る。
【００６２】
[0070]送信機５２０は、デバイスの他の構成要素によって生成された信号を送信し得る。いくつかの例では、送信機５２０は、トランシーバモジュール中で受信機５１０とコロケートされ得る。たとえば、送信機５２０は、図８を参照しながら説明するトランシーバ８３５の態様の一例であり得る。送信機５２０は、単一のアンテナまたはアンテナのセットを利用し得る。
【００６３】
[0071]図６に、本開示の態様による、低レイテンシシステムにおけるＰＤＣＣＨ構造をサポートするワイヤレスデバイス６０５のブロック図６００を示す。ワイヤレスデバイス６０５は、図５を参照しながら説明したワイヤレスデバイス５０５またはＵＥ１１５の態様の一例であり得る。ワイヤレスデバイス６０５は、受信機６１０と、ＵＥ通信マネージャ６１５と、送信機６２０とを含み得る。ワイヤレスデバイス６０５はプロセッサをも含み得る。これらの構成要素の各々は、（たとえば、１つまたは複数のバスを介して）互いに通信していることがある。
【００６４】
[0072]受信機６１０は、パケット、ユーザデータ、または様々な情報チャネルに関連する制御情報（たとえば、制御チャネル、データチャネル、および低レイテンシシステムにおけるＰＤＣＣＨ構造に関係する情報など）などの情報を受信し得る。情報はデバイスの他の構成要素に受け渡され得る。受信機６１０は、図８を参照しながら説明するトランシーバ８３５の態様の一例であり得る。受信機６１０は、単一のアンテナまたはアンテナのセットを利用し得る。
【００６５】
[0073]ＵＥ通信マネージャ６１５は、図８を参照しながら説明するＵＥ通信マネージャ８１５の態様の一例であり得る。ＵＥ通信マネージャ６１５は、制御領域識別子６２５と、制御チャネルマネージャ６３０と、ＤＣＩマネージャ６３５とを含み得る。
【００６６】
[0074]制御領域識別子６２５は、第１の持続時間のＴＴＩの制御領域を識別することと、制御領域を含むシンボルの数を示すシグナリングを受信することと、セル内で通信するＵＥのセットのための制御チャネル構成を示す追加のシグナリングを受信することと、ここで、追加のシグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることの指示を含む、ＤＣＩを含む制御領域のリソース要素のセットの一部分を示す追加のシグナリングを受信することとを行い得る。場合によっては、制御領域中の各ＣＣＥに、周波数領域中でのＣＣＥのロケーションと、それに続く時間領域中でのＣＣＥのロケーションとを示すインデックスが割り当てられる。場合によっては、制御領域を含むシンボルの数はセル固有である。
【００６７】
[0075]場合によっては、制御領域を含むシンボルの数はＵＥ固有である。場合によっては、シグナリングは、セル内で通信するＵＥのセットのための制御チャネル構成を示す。場合によっては、シグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることを示す。場合によっては、制御領域を含むシンボルの数は２つである。場合によっては、制御領域中の各ＣＣＥは、制御領域中の単一のシンボルにわたる。場合によっては、制御領域中のアグリゲーションレベルに関連する各復号候補は、制御領域中の単一のシンボルにわたる。
【００６８】
[0076]制御チャネルマネージャ６３０は、第１の持続時間のＴＴＩのインデックスに基づいて制御領域のためのＣＣＥ構造またはアグリゲーションレベルのうちの少なくとも１つを決定することと、制御領域を含むシンボルの数に基づいてアグリゲーションレベルを決定することと、識別に基づいて制御領域のためのＣＣＥ構造またはアグリゲーションレベルを決定することとを行い得る。場合によっては、各ＲＥＧ中のリソース要素の数は、構成された基準信号復調方式とは無関係である。場合によっては、ＤＣＩのために利用可能な各ＲＥＧ中のリソース要素の数は、構成された基準信号復調方式に基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含む。場合によっては、ＣＣＥ構造は、固定数のＲＥＧを含み、アグリゲーションレベルは、第１の持続時間のＴＴＩのインデックスに基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含まない。
【００６９】
[0077]ＤＣＩマネージャ６３５は、決定されたＣＣＥ構造またはアグリゲーションレベルに従ってＤＣＩのための第１の持続時間のＴＴＩの制御領域を監視することと、制御領域中でＤＣＩのために利用可能なリソース要素の数がしきい値を上回るかどうかを識別することと、制御領域へのＤＣＩのマッピングが分散させられるのかまたは局所化されるのかを識別することと、ＤＣＩのフォーマットを識別することとを行い得る。
【００７０】
[0078]送信機６２０は、デバイスの他の構成要素によって生成された信号を送信し得る。いくつかの例では、送信機６２０は、トランシーバモジュール中で受信機６１０とコロケートされ得る。たとえば、送信機６２０は、図８を参照しながら説明するトランシーバ８３５の態様の一例であり得る。送信機６２０は、単一のアンテナまたはアンテナのセットを利用し得る。
【００７１】
[0079]図７に、本開示の態様による、低レイテンシシステムにおけるＰＤＣＣＨ構造をサポートするＵＥ通信マネージャ７１５のブロック図７００を示す。ＵＥ通信マネージャ７１５は、図５、図６、および図８を参照しながら説明したＵＥ通信マネージャ５１５、ＵＥ通信マネージャ６１５、またはＵＥ通信マネージャ８１５の態様の一例であり得る。ＵＥ通信マネージャ７１５は、制御領域識別子７２０と、制御チャネルマネージャ７２５と、ＤＣＩマネージャ７３０と、基準信号マネージャ７３５と、レートマッチング構成要素７４０とを含み得る。これらのモジュールの各々は、直接または間接的に、（たとえば、１つまたは複数のバスを介して）互いと通信し得る。
【００７２】
[0080]制御領域識別子７２０は、第１の持続時間のＴＴＩの制御領域を識別することと、制御領域を含むシンボルの数を示すシグナリングを受信することと、セル内で通信するＵＥのセットのための制御チャネル構成を示す追加のシグナリングを受信することと、ここで、追加のシグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることの指示を含む、ＤＣＩを含む制御領域のリソース要素のセットの一部分を示す追加のシグナリングを受信することとを行い得る。場合によっては、制御領域中の各ＣＣＥに、周波数領域中でのＣＣＥのロケーションと、それに続く時間領域中でのＣＣＥのロケーションとを示すインデックスが割り当てられる。場合によっては、制御領域を含むシンボルの数はセル固有である。
【００７３】
[0081]場合によっては、制御領域を含むシンボルの数はＵＥ固有である。場合によっては、シグナリングは、セル内で通信するＵＥのセットのための制御チャネル構成を示す。場合によっては、シグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることを示す。場合によっては、制御領域を含むシンボルの数は２つである。場合によっては、制御領域中の各ＣＣＥは、制御領域中の単一のシンボルにわたる。場合によっては、制御領域中のアグリゲーションレベルに関連する各復号候補は、制御領域中の単一のシンボルにわたる。
【００７４】
[0082]制御チャネルマネージャ７２５は、第１の持続時間のＴＴＩのインデックスに基づいて制御領域のためのＣＣＥ構造またはアグリゲーションレベルのうちの少なくとも１つを決定することと、制御領域を含むシンボルの数に基づいてアグリゲーションレベルを決定することと、識別に基づいて制御領域のためのＣＣＥ構造またはアグリゲーションレベルを決定することとを行い得る。場合によっては、各ＲＥＧ中のリソース要素の数は、構成された基準信号復調方式とは無関係である。場合によっては、ＤＣＩのために利用可能な各ＲＥＧ中のリソース要素の数は、構成された基準信号復調方式に基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含む。場合によっては、ＣＣＥ構造は、固定数のＲＥＧを含み、アグリゲーションレベルは、第１の持続時間のＴＴＩのインデックスに基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含まない。
【００７５】
[0083]ＤＣＩマネージャ７３０は、決定されたＣＣＥ構造またはアグリゲーションレベルに従ってＤＣＩのための第１の持続時間のＴＴＩの制御領域を監視することと、制御領域中でＤＣＩのために利用可能なリソース要素の数がしきい値を上回るかどうかを識別することと、制御領域へのＤＣＩのマッピングが分散させられるのかまたは局所化されるのかを識別することと、ＤＣＩのフォーマットを識別することとを行い得る。
【００７６】
[0084]基準信号マネージャ７３５は、制御領域中のリソース要素がＤＭＲＳを含んでいるのかどうか、または制御領域がＤＭＲＳベースの復調のために構成されているのかどうかを識別し得る。レートマッチング構成要素７４０は、制御領域を含むシンボルの数に基づくレートマッチングを使用して第１の持続時間のＴＴＩ中にデータを受信し得る。
【００７７】
[0085]図８に、本開示の態様による、低レイテンシシステムにおけるＰＤＣＣＨ構造をサポートするデバイス８０５を含むシステム８００の図を示す。デバイス８０５は、たとえば、図５および図６を参照しながら上記で説明したワイヤレスデバイス５０５、ワイヤレスデバイス６０５、またはＵＥ１１５の一例であるか、またはそれの構成要素を含み得る。デバイス８０５は、ＵＥ通信マネージャ８１５と、プロセッサ８２０と、メモリ８２５と、ソフトウェア８３０と、トランシーバ８３５と、アンテナ８４０と、入出力コントローラ８４５とを含む、通信を送信および受信するための構成要素を含む双方向音声およびデータ通信のための構成要素を含み得る。これらの構成要素は、１つまたは複数のバス（たとえば、バス８１０）を介して電子通信していることがある。デバイス８０５は、１つまたは複数の基地局１０５とワイヤレス通信し得る。
【００７８】
[0086]プロセッサ８２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。場合によっては、プロセッサ８２０は、メモリコントローラを使用してメモリアレイを動作させるように構成され得る。他の場合には、メモリコントローラはプロセッサ８２０に組み込まれ得る。プロセッサ８２０は、様々な機能（たとえば、低レイテンシシステムにおけるＰＤＣＣＨ構造をサポートする機能またはタスク）を実行するために、メモリに記憶されたコンピュータ可読命令を実行するように構成され得る。
【００７９】
[0087]メモリ８２５は、ランダムアクセスメモリ（ＲＡＭ）および読取り専用メモリ（ＲＯＭ）を含み得る。メモリ８２５は、実行されたとき、プロセッサに本明細書で説明する様々な機能を実行させる命令を含んでいるコンピュータ可読、コンピュータ実行可能ソフトウェア８３０を記憶し得る。場合によっては、メモリ８２５は、特に、周辺構成要素またはデバイスとの対話などの基本的なハードウェアまたはソフトウェア動作を制御し得る基本入出力システム（ＢＩＯＳ）を含み得る。
【００８０】
[0088]ソフトウェア８３０は、低レイテンシシステムにおけるＰＤＣＣＨ構造をサポートするためのコードを含む本開示の態様を実装するためのコードを含み得る。ソフトウェア８３０は、システムメモリまたは他のメモリなどの非一時的コンピュータ可読媒体中に記憶され得る。場合によっては、ソフトウェア８３０は、プロセッサによって直接的に実行可能でないことがあるが、（たとえば、コンパイルされ実行されたとき）コンピュータに本明細書で説明する機能を実行させ得る。
【００８１】
[0089]トランシーバ８３５は、上記で説明したように、１つまたは複数のアンテナ、ワイヤードリンク、またはワイヤレスリンクを介して双方向に通信し得る。たとえば、トランシーバ８３５は、ワイヤレストランシーバを表し得、別のワイヤレストランシーバと双方向に通信し得る。トランシーバ８３５はまた、パケットを変調し、変調されたパケットを送信のためにアンテナに与えるための、およびアンテナから受信されたパケットを復調するためのモデムを含み得る。
【００８２】
[0090]場合によっては、ワイヤレスデバイスは単一のアンテナ８４０を含み得る。ただし、場合によっては、デバイスは、複数のワイヤレス送信を同時に送信または受信することが可能であり得る２つ以上のアンテナ８４０を有し得る。
【００８３】
[0091]入出力コントローラ８４５は、デバイス８０５のための入力および出力信号を管理し得る。入出力コントローラ８４５はまた、デバイス８０５に組み込まれない周辺機器を管理し得る。場合によっては、入出力コントローラ８４５は、外部周辺機器への物理接続またはポートを表し得る。場合によっては、入出力コントローラ８４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他の場合には、入出力コントローラ８４５は、モデム、キーボード、マウス、タッチスクリーン、または同様のデバイスを表すか、またはそれらと対話し得る。場合によっては、入出力コントローラ８４５は、プロセッサの一部として実装され得る。場合によっては、ユーザは、入出力コントローラ８４５を介して、または入出力コントローラ８４５によって制御されるハードウェア構成要素を介してデバイス８０５と対話し得る。
【００８４】
[0092]図９に、本開示の態様による、低レイテンシシステムにおけるＰＤＣＣＨ構造をサポートするワイヤレスデバイス９０５のブロック図９００を示す。ワイヤレスデバイス９０５は、本明細書で説明する基地局１０５の態様の一例であり得る。ワイヤレスデバイス９０５は、受信機９１０と、基地局通信マネージャ９１５と、送信機９２０とを含み得る。ワイヤレスデバイス９０５はプロセッサをも含み得る。これらの構成要素の各々は、（たとえば、１つまたは複数のバスを介して）互いに通信していることがある。
【００８５】
[0093]受信機９１０は、パケット、ユーザデータ、または様々な情報チャネルに関連する制御情報（たとえば、制御チャネル、データチャネル、および低レイテンシシステムにおけるＰＤＣＣＨ構造に関係する情報など）などの情報を受信し得る。情報はデバイスの他の構成要素に受け渡され得る。受信機９１０は、図１２を参照しながら説明するトランシーバ１２３５の態様の一例であり得る。受信機９１０は、単一のアンテナまたはアンテナのセットを利用し得る。
【００８６】
[0094]基地局通信マネージャ９１５は、図１２を参照しながら説明する基地局通信マネージャ１２１５の態様の一例であり得る。基地局通信マネージャ９１５またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアにおいて実装される場合、基地局通信マネージャ９１５またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明する機能を実施するように設計されたそれらの任意の組合せによって実行され得る。
【００８７】
[0095]基地局通信マネージャ９１５またはそれの様々な副構成要素のうちの少なくともいくつかは、１つまたは複数の物理デバイスによって機能の部分が異なる物理的ロケーションにおいて実装されるように分散されることを含めて、様々な位置に物理的に配置され得る。いくつかの例では、基地局通信マネージャ９１５またはそれの様々な副構成要素のうちの少なくともいくつかは、本開示の様々な態様による別個で個別の構成要素であり得る。他の例では、基地局通信マネージャ９１５またはそれの様々な副構成要素のうちの少なくともいくつかは、限定はされないが、本開示の様々な態様による、入出力構成要素、トランシーバ、ネットワークサーバ、別のコンピューティングデバイス、本開示で説明する１つまたは複数の他の構成要素、あるいはそれらの組合せを含む、１つまたは複数の他のハードウェア構成要素と組み合わされ得る。
【００８８】
[0096]基地局通信マネージャ９１５は、第１の持続時間のＴＴＩの制御領域を識別することと、第１の持続時間のＴＴＩのインデックスに基づいて制御領域のためのＣＣＥ構造またはアグリゲーションレベルのうちの少なくとも１つを決定することと、決定されたＣＣＥ構造またはアグリゲーションレベルに従って第１の持続時間のＴＴＩの制御領域中でＤＣＩを送信することとを行い得る。
【００８９】
[0097]送信機９２０は、デバイスの他の構成要素によって生成された信号を送信し得る。いくつかの例では、送信機９２０は、トランシーバモジュール中で受信機９１０とコロケートされ得る。たとえば、送信機９２０は、図１２を参照しながら説明するトランシーバ１２３５の態様の一例であり得る。送信機９２０は、単一のアンテナまたはアンテナのセットを利用し得る。
【００９０】
[0098]図１０に、本開示の態様による、低レイテンシシステムにおけるＰＤＣＣＨ構造をサポートするワイヤレスデバイス１００５のブロック図１０００を示す。ワイヤレスデバイス１００５は、図９を参照しながら説明したワイヤレスデバイス９０５または基地局１０５の態様の一例であり得る。ワイヤレスデバイス１００５は、受信機１０１０と、基地局通信マネージャ１０１５と、送信機１０２０とを含み得る。ワイヤレスデバイス１００５はプロセッサをも含み得る。これらの構成要素の各々は、（たとえば、１つまたは複数のバスを介して）互いに通信していることがある。
【００９１】
[0099]受信機１０１０は、パケット、ユーザデータ、または様々な情報チャネルに関連する制御情報（たとえば、制御チャネル、データチャネル、および低レイテンシシステムにおけるＰＤＣＣＨ構造に関係する情報など）などの情報を受信し得る。情報はデバイスの他の構成要素に受け渡され得る。受信機１０１０は、図１２を参照しながら説明するトランシーバ１２３５の態様の一例であり得る。受信機１０１０は、単一のアンテナまたはアンテナのセットを利用し得る。
【００９２】
[0100]基地局通信マネージャ１０１５は、図１２を参照しながら説明する基地局通信マネージャ１２１５の態様の一例であり得る。基地局通信マネージャ１０１５は、制御領域識別子１０２５と、制御チャネルマネージャ１０３０と、ＤＣＩマネージャ１０３５とを含み得る。
【００９３】
[0101]制御領域識別子１０２５は、第１の持続時間のＴＴＩの制御領域を識別することと、制御領域を含むシンボルの数を示すシグナリングを送信することと、セル内で通信するＵＥのセットのための制御チャネル構成を示す追加のシグナリングを送信することと、ここで、追加のシグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることの指示を含む、ＤＣＩを備える制御領域のリソース要素のセットの一部分を示す追加のシグナリングを送信することとを行い得る。場合によっては、制御領域中の各ＣＣＥに、周波数領域中でのＣＣＥのロケーションと、それに続く時間領域中でのＣＣＥのロケーションとを示すインデックスが割り当てられる。場合によっては、制御領域を含むシンボルの数はセル固有である。場合によっては、制御領域を含むシンボルの数はＵＥ固有である。
【００９４】
[0102]場合によっては、シグナリングは、セル内で通信するＵＥのセットのための制御チャネル構成を示す。場合によっては、シグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることを示す。場合によっては、制御領域を含むシンボルの数は２つである。場合によっては、制御領域中の各ＣＣＥは、制御領域中の単一のシンボルにわたる。場合によっては、制御領域中のアグリゲーションレベルに関連する各復号候補は、制御領域中の単一のシンボルにわたる。
【００９５】
[0103]制御チャネルマネージャ１０３０は、第１の持続時間のＴＴＩのインデックスに基づいて制御領域のためのＣＣＥ構造またはアグリゲーションレベルのうちの少なくとも１つを決定することと、制御領域を含むシンボルの数に基づいてアグリゲーションレベルを決定することと、識別に基づいて制御領域のためのＣＣＥ構造またはアグリゲーションレベルを決定することとを行い得る。場合によっては、各ＲＥＧ中のリソース要素の数は、構成された基準信号復調方式とは無関係である。場合によっては、ＤＣＩのために利用可能な各ＲＥＧ中のリソース要素の数は、構成された基準信号復調方式に基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含む。場合によっては、ＣＣＥ構造は、固定数のＲＥＧを含み、アグリゲーションレベルは、第１の持続時間のＴＴＩのインデックスに基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含まない。
【００９６】
[0104]ＤＣＩマネージャ１０３５は、決定されたＣＣＥ構造またはアグリゲーションレベルに従って第１の持続時間のＴＴＩの制御領域中でＤＣＩを送信することと、制御領域中でＤＣＩのために利用可能なリソース要素の数がしきい値を上回るかどうかを識別することと、制御領域へのＤＣＩのマッピングが分散させられるのかまたは局所化されるのかを識別することと、ＤＣＩのフォーマットを識別することとを行い得る。
【００９７】
[0105]送信機１０２０は、デバイスの他の構成要素によって生成された信号を送信し得る。いくつかの例では、送信機１０２０は、トランシーバモジュール中で受信機１０１０とコロケートされ得る。たとえば、送信機１０２０は、図１２を参照しながら説明するトランシーバ１２３５の態様の一例であり得る。送信機１０２０は、単一のアンテナまたはアンテナのセットを利用し得る。
【００９８】
[0106]図１１に、本開示の態様による、低レイテンシシステムにおけるＰＤＣＣＨ構造をサポートする基地局通信マネージャ１１１５のブロック図１１００を示す。基地局通信マネージャ１１１５は、図９、図１０、および図１２を参照しながら説明する基地局通信マネージャ１２１５の態様の一例であり得る。基地局通信マネージャ１１１５は、制御領域識別子１１２０と、制御チャネルマネージャ１１２５と、ＤＣＩマネージャ１１３０と、基準信号マネージャ１１３５と、レートマッチング構成要素１１４０とを含み得る。これらのモジュールの各々は、直接または間接的に、（たとえば、１つまたは複数のバスを介して）互いと通信し得る。
【００９９】
[0107]制御領域識別子１１２０は、第１の持続時間のＴＴＩの制御領域を識別することと、制御領域を含むシンボルの数を示すシグナリングを送信することと、セル内で通信するＵＥのセットのための制御チャネル構成を示す追加のシグナリングを送信することと、ここで、追加のシグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることの指示を含む、ＤＣＩを含む制御領域のリソース要素のセットの一部分を示す追加のシグナリングを送信することとを行い得る。場合によっては、制御領域中の各ＣＣＥに、周波数領域中でのＣＣＥのロケーションと、それに続く時間領域中でのＣＣＥのロケーションとを示すインデックスが割り当てられる。
【０１００】
[0108]場合によっては、制御領域を含むシンボルの数はセル固有である。場合によっては、制御領域を含むシンボルの数はＵＥ固有である。場合によっては、シグナリングは、セル内で通信するＵＥのセットのための制御チャネル構成を示す。場合によっては、シグナリングは、セットの各ＵＥが、１シンボル制御領域で構成されること、またはセットの各ＵＥが、２シンボル制御領域で構成されること、または、ＵＥの第１のサブセットが１シンボル制御領域で構成され、ＵＥの第２のサブセットが２シンボル制御領域で構成されることを示す。場合によっては、制御領域を含むシンボルの数は２つである。場合によっては、制御領域中の各ＣＣＥは、制御領域中の単一のシンボルにわたる。場合によっては、制御領域中のアグリゲーションレベルに関連する各復号候補は、制御領域中の単一のシンボルにわたる。
【０１０１】
[0109]制御チャネルマネージャ１１２５は、第１の持続時間のＴＴＩのインデックスに基づいて制御領域のためのＣＣＥ構造またはアグリゲーションレベルのうちの少なくとも１つを決定することと、制御領域を含むシンボルの数に基づいてアグリゲーションレベルを決定することと、識別に基づいて制御領域のためのＣＣＥ構造またはアグリゲーションレベルを決定することとを行い得る。場合によっては、各ＲＥＧ中のリソース要素の数は、構成された基準信号復調方式とは無関係である。場合によっては、ＤＣＩのために利用可能な各ＲＥＧ中のリソース要素の数は、構成された基準信号復調方式に基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含む。場合によっては、ＣＣＥ構造は、固定数のＲＥＧを含み、アグリゲーションレベルは、第１の持続時間のＴＴＩのインデックスに基づく。場合によっては、ＲＥＧのうちの１つまたは複数は、ＣＲＳ、ＤＭＲＳ、またはＣＳＩ−ＲＳ、あるいはそれらの任意の組合せを含んでいるリソース要素を含まない。
【０１０２】
[0110]ＤＣＩマネージャ１１３０は、決定されたＣＣＥ構造またはアグリゲーションレベルに従って第１の持続時間のＴＴＩの制御領域中でＤＣＩを送信することと、制御領域中でＤＣＩのために利用可能なリソース要素の数がしきい値を上回るかどうかを識別することと、制御領域へのＤＣＩのマッピングが分散させられるのかまたは局所化されるのかを識別することと、ＤＣＩのフォーマットを識別することとを行い得る。
【０１０３】
[0111]基準信号マネージャ１１３５は、制御領域中のリソース要素がＤＭＲＳを含んでいるのかどうか、または制御領域がＤＭＲＳベースの復調のために構成されているのかどうかを識別し得る。レートマッチング構成要素１１４０は、制御領域を含むシンボルの数に基づいてＤＣＩの送信のために使用されるリソース要素の周りでデータビットをレートマッチングし、第１の持続時間のＴＴＩ中にレートマッチングされたデータビットを送信し得る。
【０１０４】
[0112]図１２に、本開示の態様による、低レイテンシシステムにおけるＰＤＣＣＨ構造をサポートするデバイス１２０５を含むシステム１２００の図を示す。デバイス１２０５は、たとえば、図１を参照しながら上記で説明した基地局１０５の一例であるか、またはそれの構成要素を含み得る。デバイス１２０５は、基地局通信マネージャ１２１５と、プロセッサ１２２０と、メモリ１２２５と、ソフトウェア１２３０と、トランシーバ１２３５と、アンテナ１２４０と、ネットワーク通信マネージャ１２４５と、局間通信マネージャ１２５０とを含む、通信を送信および受信するための構成要素を含む双方向音声およびデータ通信のための構成要素を含み得る。これらの構成要素は、１つまたは複数のバス（たとえば、バス１２１０）を介して電子通信していることがある。デバイス１２０５は、１つまたは複数のＵＥ１１５とワイヤレス通信し得る。
【０１０５】
[0113]プロセッサ１２２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１２２０は、メモリコントローラを使用してメモリアレイを動作させるように構成され得る。他の場合には、メモリコントローラはプロセッサ１２２０に組み込まれ得る。プロセッサ１２２０は、様々な機能（たとえば、低レイテンシシステムにおけるＰＤＣＣＨ構造をサポートする機能またはタスク）を実行するために、メモリに記憶されたコンピュータ可読命令を実行するように構成され得る。
【０１０６】
[0114]メモリ１２２５はＲＡＭとＲＯＭとを含み得る。メモリ１２２５は、実行されたとき、プロセッサに本明細書で説明する様々な機能を実行させる命令を含んでいるコンピュータ可読、コンピュータ実行可能ソフトウェア１２３０を記憶し得る。場合によっては、メモリ１２２５は、特に、周辺構成要素またはデバイスとの対話などの基本的なハードウェアまたはソフトウェア動作を制御し得るＢＩＯＳを含み得る。
【０１０７】
[0115]ソフトウェア１２３０は、低レイテンシシステムにおけるＰＤＣＣＨ構造をサポートするためのコードを含む本開示の態様を実装するためのコードを含み得る。ソフトウェア１２３０は、システムメモリまたは他のメモリなどの非一時的コンピュータ可読媒体中に記憶され得る。場合によっては、ソフトウェア１２３０は、プロセッサによって直接的に実行可能でないことがあるが、（たとえば、コンパイルされ実行されたとき）コンピュータに本明細書で説明する機能を実行させ得る。
【０１０８】
[0116]トランシーバ１２３５は、上記で説明したように、１つまたは複数のアンテナ、ワイヤードリンク、またはワイヤレスリンクを介して双方向に通信し得る。たとえば、トランシーバ１２３５は、ワイヤレストランシーバを表し得、別のワイヤレストランシーバと双方向に通信し得る。トランシーバ１２３５はまた、パケットを変調し、変調されたパケットを送信のためにアンテナに与えるための、およびアンテナから受信されたパケットを復調するためのモデムを含み得る。
【０１０９】
[0117]場合によっては、ワイヤレスデバイスは単一のアンテナ１２４０を含み得る。ただし、場合によっては、デバイスは、複数のワイヤレス送信を同時に送信または受信することが可能であり得る２つ以上のアンテナ１２４０を有し得る。
【０１１０】
[0118]ネットワーク通信マネージャ１２４５は、（たとえば、１つまたは複数のワイヤードバックホールリンクを介して）コアネットワークとの通信を管理し得る。たとえば、ネットワーク通信マネージャ１２４５は、１つまたは複数のＵＥ１１５など、クライアントデバイスのためのデータ通信の転送を管理し得る。
【０１１１】
[0119]局間通信マネージャ１２５０は、他の基地局１０５との通信を管理し得、他の基地局１０５と協働してＵＥ１１５との通信を制御するためのコントローラまたはスケジューラを含み得る。たとえば、局間通信マネージャ１２５０は、ビームフォーミングまたはジョイント送信などの様々な干渉緩和技法のためのＵＥ１１５への送信のためのスケジューリングを協調させ得る。いくつかの例では、局間通信マネージャ１２５０は、基地局１０５間の通信を行うために、ＬＴＥ／ＬＴＥ−Ａワイヤレス通信ネットワーク技術内のＸ２インターフェースを与え得る。
【０１１２】
[0120]図１３に、本開示の態様による、低レイテンシシステムにおけるＰＤＣＣＨ構造をサポートする方法１３００を示すフローチャートを示す。方法１３００の動作は、本明細書で説明するＵＥ１１５またはそれの構成要素によって実装され得る。たとえば、方法１３００の動作は、図５〜図８を参照しながら説明したＵＥ通信マネージャによって実行され得る。いくつかの例では、ＵＥ１１５は、以下で説明する機能を実行するようにデバイスの機能要素を制御するためのコードのセットを実行し得る。追加または代替として、ＵＥ１１５は、専用ハードウェアを使用して、以下で説明する機能の態様を実行し得る。
【０１１３】
[0121]ブロック１３０５において、ＵＥ１１５は、第１の持続時間のＴＴＩの制御領域を識別し得る。ブロック１３０５の動作は、本明細書で説明する方法に従って実行され得る。たとえば、ブロック１３０５の動作の態様は、図５〜図８を参照しながら説明した制御領域識別子によって実行され得る。
【０１１４】
[0122]ブロック１３１０において、ＵＥ１１５は、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定し得る。ブロック１３１０の動作は、本明細書で説明する方法に従って実行され得る。いくつかの例では、ブロック１３１０の動作の態様は、図５〜図８を参照しながら説明した制御チャネルマネージャによって実行され得る。
【０１１５】
[0123]ブロック１３１５において、ＵＥ１１５は、決定されたＣＣＥ構造またはアグリゲーションレベルに従ってＤＣＩのための第１の持続時間のＴＴＩの制御領域を監視し得る。ブロック１３１５の動作は、本明細書で説明する方法に従って実行され得る。いくつかの例では、ブロック１３１５の動作の態様は、図５〜図８を参照しながら説明したＤＣＩマネージャによって実行され得る。
【０１１６】
[0124]図１４に、本開示の態様による、低レイテンシシステムにおけるＰＤＣＣＨ構造をサポートする方法１４００を示すフローチャートを示す。方法１４００の動作は、本明細書で説明する基地局１０５またはそれの構成要素によって実装され得る。たとえば、方法１４００の動作は、図９〜図１２を参照しながら説明した基地局通信マネージャによって実行され得る。いくつかの例では、基地局１０５は、以下で説明する機能を実行するようにデバイスの機能要素を制御するためのコードのセットを実行し得る。追加または代替として、基地局１０５は、専用ハードウェアを使用して、以下で説明される機能の態様を実行し得る。
【０１１７】
[0125]ブロック１４０５において、基地局１０５は、第１の持続時間のＴＴＩの制御領域を識別し得る。ブロック１４０５の動作は、本明細書で説明する方法に従って実行され得る。たとえば、ブロック１４０５の動作の態様は、図９〜図１２を参照しながら説明した制御領域識別子によって実行され得る。
【０１１８】
[0126]ブロック１４１０において、基地局１０５は、第１の持続時間のＴＴＩのインデックスまたは基準信号のタイプのうちの少なくとも１つに少なくとも部分的に基づいて制御領域のためのＣＣＥ構造またはアグリゲーションレベルのうちの少なくとも１つを決定し得る。場合によっては、ＤＣＩ送信のためのアグリゲーションレベルを決定することはまた、アグリゲーションレベルごとのブラインド復号の数を決定することを指すことがあり、これは、ｓＴＴＩインデックスまたはｓＴＴＩインデックスのグループと相関していることがある。ブロック１４１０の動作は、本明細書で説明する方法に従って実行され得る。いくつかの例では、ブロック１４１０の動作の態様は、図９〜図１２を参照しながら説明した制御チャネルマネージャによって実行され得る。
【０１１９】
[0127]ブロック１４１５において、基地局１０５は、決定されたＣＣＥ構造またはアグリゲーションレベルに従って第１の持続時間のＴＴＩの制御領域中でＤＣＩを送信し得る。ブロック１４１５の動作は、本明細書で説明する方法に従って実行され得る。いくつかの例では、ブロック１４１５の動作の態様は、図９〜図１２を参照しながら説明したＤＣＩマネージャによって実行され得る。
【０１２０】
[0128]上記で説明した方法が可能な実装形態を表すこと、ならびに動作およびステップが並べ替えられるかあるいは別の様態で変更され得ること、ならびに他の実装形態が可能であることに留意されたい。さらに、方法のうちの２つ以上からの態様が組み合わせられ得る。
【０１２１】
[0129]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００  Ｒｅｌｅａｓｅは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標）：Global System for Mobile Communications）などの無線技術を実装し得る。
【０１２２】
[0130]ＯＦＤＭＡシステムは、ウルトラモバイルブロードバンド（ＵＭＢ）、発展型ＵＴＲＡ（Ｅ−ＵＴＲＡ：Evolved UTRA）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications System）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標）：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術に使用され得る。ＬＴＥまたはＮＲシステムの態様について例として記載し得、ＬＴＥまたはＮＲの用語を説明の大部分において使用し得るが、本明細書で説明する技法はＬＴＥまたはＮＲ適用例を越えて適用可能である。
【０１２３】
[0131]本明細書で説明するそのようなネットワークを含む、ＬＴＥ／ＬＴＥ−Ａネットワークでは、発展型ノードＢ（ｅＮＢ）という用語は、概して、基地局を表すために使用され得る。本明細書で説明する１つまたは複数のワイヤレス通信システムは、異なるタイプのｅＮＢが様々な地理的領域にカバレージを与える、異種ＬＴＥ／ＬＴＥ−ＡまたはＮＲネットワークを含み得る。たとえば、各ｅＮＢ、次世代ノードＢ（ｇＮＢ）、または基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る。
【０１２４】
[0132]基地局は、基地トランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明する１つまたは複数のワイヤレス通信システムは、異なるタイプの基地局（たとえば、マクロセル基地局またはスモールセル基地局）を含み得る。本明細書で説明するＵＥは、マクロｅＮＢ、スモールセルｅＮＢ、ｇＮＢ、リレー基地局などを含む様々なタイプの基地局およびネットワーク機器と通信することが可能であり得る。異なる技術のための重複する地理的カバレージエリアがあり得る。
【０１２５】
[0133]マクロセルは一般に、比較的大きい地理的エリア（たとえば、半径数キロメートル）をカバーしており、ネットワークプロバイダのサービスに加入しているＵＥによる無制限アクセスを可能にし得る。スモールセルは、マクロセルと同じまたは異なる（たとえば、免許、免許不要などの）周波数帯域で動作し得る、マクロセルと比較して低電力の基地局である。スモールセルは、様々な例によれば、ピコセルと、フェムトセルと、マイクロセルとを含み得る。ピコセルは、たとえば、小さい地理的エリアをカバーすることができ、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【０１２６】
[0134]本明細書で説明するワイヤレス通信システムは、同期動作または非同期動作をサポートし得る。同期動作の場合、基地局は、同様のフレームタイミングを有し得、異なる基地局からの送信は、近似的に時間的に整合され得る。非同期動作の場合、基地局は、異なるフレームタイミングを有することがあり、異なる基地局からの送信は、時間的に揃っていないことがある。本明細書で説明する技法は、同期動作または非同期動作のいずれかに対して使用され得る。
【０１２７】
[0135]本明細書で説明するダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明する各通信リンクは、１つまたは複数のキャリアを含むことがあり、ここで、各キャリアは、複数のサブキャリアからなる信号（たとえば、異なる周波数の波形信号）であり得る。
【０１２８】
[0136]添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明する技法の理解を与えるための具体的な詳細を含む。しかしながら、これらの技法は、これらの特定の詳細なしに実践され得る。いくつかの事例では、説明した例の概念を不明瞭にすることを回避するために、よく知られている構造およびデバイスがブロック図の形式で示される。
【０１２９】
[0137]添付の図では、同様の構成要素または特徴は同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【０１３０】
[0138]本明細書で説明する情報および信号は、多種多様な技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１３１】
[0139]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）としても実装され得る。
【０１３２】
[0140]本明細書で説明する機能は、ハードウェア、プロセッサによって実行されるソフトウェア、ファームウェア、またはそれらの任意の組合せで実施され得る。プロセッサによって実行されるソフトウェアで実装される場合、機能は、１つまたは複数の命令またはコードとして、コンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。また、本明細書で使用される「に基づいて」という句は、条件の閉集合への参照として解釈されないものとする。たとえば、「条件Ａに基づいて」と記述する例示的なステップは、本開示の範囲から逸脱することなく条件Ａと条件Ｂとの両方に基づき得る。言い換えれば、本明細書で使用する「に基づいて」という句は、「に少なくとも部分的に基づいて」という句と同様に解釈されたい。
【０１３３】
[0141]コンピュータ可読媒体は、ある場所から別の場所へのコンピュータプログラムの転送を可能にする任意の媒体を含む、非一時的コンピュータ記憶媒体と通信媒体との両方を含む。非一時的記憶媒体は、汎用コンピュータまたは専用コンピュータによってアクセスすることができる任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備え得る。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３４】
[0142]本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されず、本明細書で開示される原理および新規の特徴に合致する最も広い範囲を与えられるべきである。
【０１３５】
[0143]当業者に知られている、または後に知られることになる、本開示全体にわたって説明される様々な態様の要素のすべての構造的および機能的等価物は、参照により本明細書に明確に組み込まれ、特許請求の範囲に包含されるものである。さらに、本明細書で開示されるいかなることも、そのような開示が特許請求の範囲に明示的に記載されているか否かにかかわらず、公に供するものではない。「モジュール」、「機構」、「要素」、「デバイス」、「構成要素」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【図１】
2020518161.tif 000003
【図２】
2020518161.tif 000004
【図３】
2020518161.tif 000005
【図４】
2020518161.tif 000006
【図５】
2020518161.tif 000007
【図６】
2020518161.tif 000008
【図７】
2020518161.tif 000009
【図８】
2020518161.tif 000010
【図９】
2020518161.tif 000011
【図１０】
2020518161.tif 000012
【図１１】
2020518161.tif 000013
【図１２】
2020518161.tif 000014
【図１３】
2020518161.tif 000015
【図１４】
2020518161.tif 000016
【国際調査報告】
2020518161.tif 000017
2020518161.tif 000018
2020518161.tif 000019